(57)【要約】【課題】特性の良好な小型のフィルタを提供する。【解決手段】フィルタ１０は、第１ビア電極部２０Ａを有する第１共振器１１Ａと、第２ビア電極部２０Ｂを有する第２共振器１１Ｂと、第３ビア電極部２０Ｃを有する第３共振器１１Ｃとを備え、第１ビア電極部２０Ａと第２ビア電極部２０Ｂとが第１方向Ｘにおいて互いにずらされており、第３ビア電極部２０Ｃが、第１ビア電極部又は第２ビア電極部に対して、第１方向に交差する第２方向Ｙにおいてずらされている。【選択図】図１
2020198482.tif 000002
【特許請求の範囲】
【請求項１】
第１主面と、前記第１主面に対向する第２主面と、複数の側面とを有する誘電体基板と、
前記誘電体基板の前記第１主面側に形成された第１主面側遮蔽導体と、
前記誘電体基板の前記第２主面側に形成された第２主面側遮蔽導体と、
前記誘電体基板内に形成されているとともに複数のビア電極から構成されたビア電極部と、前記第１主面側遮蔽導体に対向するとともに前記ビア電極部の一端に接続された第１キャパシタ電極とをそれぞれ備える複数の共振器とを備え、
前記複数の共振器の各々には、前記ビア電極部が１つずつ備えられており、
前記複数の共振器のうちの第１共振器に備えられた前記ビア電極部である第１ビア電極部と、前記複数の共振器のうちの第２共振器に備えられた前記ビア電極部である第２ビア電極部とが、第１方向において互いにずらされており、
前記複数の共振器のうちの第３共振器に備えられた前記ビア電極部である第３ビア電極部が、前記第１ビア電極部又は前記第２ビア電極部に対して、前記第１方向に交差する第２方向においてずらされている、フィルタ。
【請求項２】
請求項１に記載のフィルタにおいて、
前記ビア電極部の長手方向に沿うように形成された遮蔽導体を更に備え、
前記ビア電極部を構成する前記複数のビア電極は、上面から見たとき、仮想の環に沿って配列されており、
前記遮蔽導体と前記ビア電極部との間の距離の前記仮想の環の径に対する比は、０．７５〜２である、フィルタ。
【請求項３】
請求項１に記載のフィルタにおいて、
前記ビア電極部の長手方向に沿うように形成された遮蔽導体を更に備え、
前記ビア電極部は、２つの前記ビア電極によって構成されており、
前記２つのビア電極間の距離は、第１の距離であり、
前記遮蔽導体と前記ビア電極部との間の距離の前記第１の距離に対する比は、０．７５〜２である、フィルタ。
【請求項４】
請求項２又は３に記載のフィルタにおいて、
前記遮蔽導体は、板状に形成されている、フィルタ。
【請求項５】
請求項２又は３に記載のフィルタにおいて、
前記遮蔽導体は、一端が前記第１主面側遮蔽導体に接続され、他端が前記第２主面側遮蔽導体に接続された複数の遮蔽ビア電極によって構成されている、フィルタ。
【請求項６】
請求項１に記載のフィルタにおいて、
前記ビア電極部を構成する前記複数のビア電極は、上面から見たとき、仮想の環に沿って配列されており、
互いに隣接する前記ビア電極部間の距離の前記仮想の環の径に対する比は、０．７５〜２である、フィルタ。
【請求項７】
請求項１に記載のフィルタにおいて、
前記ビア電極部は、２つの前記ビア電極によって構成されており、
前記２つのビア電極間の距離は、第１の距離であり、
互いに隣接する前記ビア電極部間の距離の前記第１の距離に対する比は、０．７５〜２である、フィルタ。
【請求項８】
請求項１〜７のいずれか１項に記載のフィルタにおいて、
前記第３ビア電極部が、前記第１ビア電極部と前記第２ビア電極部のいずれに対しても、前記第２方向においてずらされている、フィルタ。
【請求項９】
請求項１〜７のいずれか１項に記載のフィルタにおいて、
前記複数の共振器のうちの第４共振器に備えられた前記ビア電極部である第４ビア電極部が、前記第１ビア電極部又は前記第２ビア電極部に対して、前記第２方向においてずらされている、フィルタ。
【請求項１０】
請求項９に記載のフィルタにおいて、
前記第１ビア電極部の中心の前記第１方向における位置と、前記第３ビア電極部の中心の前記第１方向における位置とは、同等であり、
前記第２ビア電極部の中心の前記第１方向における位置と、前記第４ビア電極部の中心の前記第１方向における位置とは、同等であり、
前記第１ビア電極部の前記中心の前記第２方向における位置と、前記第２ビア電極部の前記中心の前記第２方向における位置とは、同等であり、
前記第３ビア電極部の前記中心の前記第２方向における位置と、前記第４ビア電極部の前記中心の前記第２方向における位置とは、同等である、フィルタ。
【請求項１１】
請求項９に記載のフィルタにおいて、
前記第３ビア電極部の中心の前記第１方向における位置は、前記第１ビア電極部の中心の前記第１方向における位置と前記第４ビア電極部の中心の前記第１方向における位置との間であり、
前記第４ビア電極部の前記中心の前記第１方向における位置は、前記第３ビア電極部の前記中心の前記第１方向における位置と前記第２ビア電極部の中心の前記第１方向における位置との間であり、
前記第１ビア電極部の前記中心の前記第２方向における位置と、前記第２ビア電極部の前記中心の前記第２方向における位置とは、同等であり、
前記第３ビア電極部の前記中心の前記第２方向における位置と、前記第４ビア電極部の前記中心の前記第２方向における位置とは、同等である、フィルタ。
【請求項１２】
請求項９に記載のフィルタにおいて、
前記第３ビア電極部の中心の前記第１方向における位置と、前記第４ビア電極部の中心の前記第１方向における位置とは、同等であり、
前記第１ビア電極部の中心の前記第２方向における位置は、前記第３ビア電極部の前記中心の前記第２方向における位置と前記第４ビア電極部の前記中心の前記第２方向における位置との間であり、
前記第２ビア電極部の中心の前記第２方向における位置は、前記第３ビア電極部の前記中心の前記第２方向における位置と前記第４ビア電極部の前記中心の前記第２方向における位置との間である、フィルタ。
【請求項１３】
請求項９に記載のフィルタにおいて、
前記第１ビア電極部と前記第２ビア電極部とが、前記第２方向において互いにずらされており、
前記第１ビア電極部の中心の前記第２方向における位置と、前記第３ビア電極部の中心の前記第２方向における位置とは、同等であり、
前記第２ビア電極部の中心の前記第２方向における位置と、前記第４ビア電極部の中心の前記第２方向における位置とは、同等である、フィルタ。
【請求項１４】
請求項９に記載のフィルタにおいて、
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、
前記第３ビア電極部の前記中心の前記第２方向における位置と、前記第４ビア電極部の前記中心の前記第２方向における位置と、前記第５ビア電極部の前記中心の前記第２方向における位置とは、同等である、フィルタ。
【請求項１５】
請求項９に記載のフィルタにおいて、
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、
前記第５ビア電極部の前記中心の前記第２方向における位置は、前記第１ビア電極部の中心の前記第２方向における位置と前記第３ビア電極部の前記中心の前記第２方向における位置との間であり、
前記第５ビア電極部の前記中心の前記第２方向における位置は、前記第２ビア電極部の中心の前記第２方向における位置と前記第４ビア電極部の前記第２方向における位置との間である、フィルタ。
【請求項１６】
請求項９に記載のフィルタにおいて、
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、
前記第３ビア電極部の前記中心の前記第２方向における位置は、前記第１ビア電極部の中心の前記第２方向における位置と前記第５ビア電極部の前記中心の前記第２方向における位置との間であり、
前記第４ビア電極部の前記中心の前記第２方向における位置は、前記第２ビア電極部の中心の前記第２方向における位置と前記第５ビア電極部の前記第２方向における位置との間である、フィルタ。
【請求項１７】
請求項９に記載のフィルタにおいて、
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、
前記第３ビア電極部の前記中心の前記第２方向における位置と、前記第４ビア電極部の前記中心の前記第２方向における位置と、前記第５ビア電極部の前記中心の前記第２方向における位置とは、同等であり、
前記第３ビア電極部の前記中心の前記第１方向における位置は、前記第１ビア電極部の中心の前記第１方向における位置と前記第５ビア電極部の前記中心の前記第１方向における位置との間であり、
前記第４ビア電極部の前記中心の前記第１方向における位置は、前記第２ビア電極部の中心の前記第１方向における位置と前記第５ビア電極部の前記中心の前記第１方向における位置との間である、フィルタ。
【請求項１８】
請求項９に記載のフィルタにおいて、
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、
前記第５ビア電極部の前記中心の前記第２方向における位置は、前記第１ビア電極部の中心の前記第２方向における位置と前記第３ビア電極部の前記中心の前記第２方向における位置との間であり、
前記第５ビア電極部の前記中心の前記第２方向における位置は、前記第２ビア電極部の中心の前記第２方向における位置と前記第４ビア電極部の前記中心の前記第２方向における位置との間である、フィルタ。
【請求項１９】
請求項９に記載のフィルタにおいて、
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、
前記第３ビア電極部の前記中心の前記第１方向における位置は、前記第１ビア電極部の中心の前記第１方向における位置と前記第５ビア電極部の前記中心の前記第１方向における位置との間であり、
前記第４ビア電極部の前記中心の前記第１方向における位置は、前記第２ビア電極部の中心の前記第１方向における位置と前記第５ビア電極部の前記中心の前記第１方向における位置との間であり、
前記第３ビア電極部の前記中心の前記第２方向における位置は、前記第１ビア電極部の前記中心の前記第２方向における位置と前記第５ビア電極部の前記中心の前記第２方向における位置との間であり、
前記第４ビア電極部の前記中心の前記第２方向における位置は、前記第２ビア電極部の前記中心の前記第２方向における位置と前記第５ビア電極部の前記中心の前記第２方向における位置との間である、フィルタ。
【請求項２０】
請求項９に記載のフィルタにおいて、
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、
前記第１ビア電極部の中心の前記第１方向における位置は、前記第３ビア電極部の前記中心の前記第１方向における位置と前記第５ビア電極部の前記中心の前記第１方向における位置との間であり、
前記第２ビア電極部の中心の前記第１方向における位置は、前記第４ビア電極部の前記中心の前記第１方向における位置と前記第５ビア電極部の前記中心の前記第１方向における位置との間であり、
前記第３ビア電極部の前記中心の前記第２方向における位置は、前記第１ビア電極部の前記中心の前記第２方向における位置と前記第５ビア電極部の前記中心の前記第２方向における位置との間であり、
前記第４ビア電極部の前記中心の前記第２方向における位置は、前記第２ビア電極部の前記中心の前記第２方向における位置と前記第５ビア電極部の前記中心の前記第２方向における位置との間である、フィルタ。
【請求項２１】
請求項９に記載のフィルタにおいて、
前記複数の共振器のうちの第５共振器に備えられた前記ビア電極部である第５ビア電極部の中心の前記第１方向における位置と、前記第３ビア電極部の中心の前記第１方向における位置と、前記第１ビア電極部の中心の前記第１方向における位置とは、同等であり、
前記複数の共振器のうちの第６共振器に備えられた前記ビア電極部である第６ビア電極部の中心の前記第１方向における位置と、前記第４ビア電極部の中心の前記第１方向における位置と、前記第２ビア電極部の中心の前記第１方向における位置とは、同等であり、
前記第１ビア電極部の前記中心の前記第２方向における位置と、前記第２ビア電極部の前記中心の前記第２方向における位置とは、同等であり、
前記第３ビア電極部の前記中心の前記第２方向における位置と、前記第４ビア電極部の前記中心の前記第２方向における位置とは、同等であり、
前記第５ビア電極部の前記中心の前記第２方向における位置と、前記第６ビア電極部の前記中心の前記第２方向における位置とは、同等である、フィルタ。
【請求項２２】
請求項９に記載のフィルタにおいて、
前記複数の共振器のうちの第５共振器に備えられた前記ビア電極部である第５ビア電極部の中心の前記第１方向における位置は、前記第１ビア電極部の中心の前記第１方向における位置と、前記第２ビア電極部の中心の前記第１方向における位置との間であり、
前記複数の共振器のうちの第６共振器に備えられた前記ビア電極部である第６ビア電極部の中心の前記第１方向における位置は、前記第５ビア電極部の前記中心の前記第１方向における位置と、前記第２ビア電極部の前記中心の前記第１方向における位置との間であり、
前記第３ビア電極部の中心の前記第１方向における位置と、前記第１ビア電極部の前記中心の前記第１方向における位置とは、同等であり、
前記第４ビア電極部の中心の前記第１方向における位置と、前記第２ビア電極部の前記中心の前記第１方向における位置とは、同等であり、
前記第１ビア電極部の前記中心の前記第２方向における位置と、前記第２ビア電極部の前記中心の前記第２方向における位置とは、同等であり、
前記第３ビア電極部の前記中心の前記第２方向における位置と、前記第４ビア電極部の前記中心の前記第２方向における位置とは、同等であり、
前記第５ビア電極部の前記中心の前記第２方向における位置と、前記第６ビア電極部の前記中心の前記第２方向における位置とは、同等である、フィルタ。
【請求項２３】
請求項９に記載のフィルタにおいて、
前記第１ビア電極部の中心の前記第１方向における位置は、前記複数の共振器のうちの第５共振器に備えられた前記ビア電極部である第５ビア電極部の中心の前記第１方向における位置と、前記第２ビア電極部の中心の前記第１方向における位置との間であり、
前記第２ビア電極部の前記中心の前記第１方向における位置は、前記複数の共振器のうちの第６共振器に備えられた前記ビア電極部である第６ビア電極部の中心の前記第１方向における位置と、前記第１ビア電極部の前記中心の前記第１方向における位置との間であり、
前記第３ビア電極部の中心の前記第１方向における位置と、前記第１ビア電極部の前記中心の前記第１方向における位置とは、同等であり、
前記第４ビア電極部の中心の前記第１方向における位置と、前記第２ビア電極部の前記中心の前記第１方向における位置とは、同等であり、
前記第１ビア電極部の前記中心の前記第２方向における位置と、前記第２ビア電極部の前記中心の前記第２方向における位置とは、同等であり、
前記第３ビア電極部の前記中心の前記第２方向における位置と、前記第４ビア電極部の前記中心の前記第２方向における位置とは、同等であり、
前記第５ビア電極部の前記中心の前記第２方向における位置と、前記第６ビア電極部の前記中心の前記第２方向における位置とは、同等である、フィルタ。
【請求項２４】
請求項１〜２３のいずれか１項に記載のフィルタにおいて、
前記ビア電極部の他端は、前記第２主面側遮蔽導体に接続されている、フィルタ。
【請求項２５】
請求項１〜２３のいずれか１項に記載のフィルタにおいて、
前記複数の共振器は、前記第２主面側遮蔽導体に対向するとともに前記ビア電極部の他端に接続された第２キャパシタ電極をそれぞれ備える、フィルタ。
【請求項２６】
請求項１〜２３のいずれか１項に記載のフィルタにおいて、
前記誘電体基板は、第１誘電体層と、前記第１誘電体層より比誘電率が高い第２誘電体層とを備え、
前記第１主面側遮蔽導体と前記第１キャパシタ電極との間に前記第１誘電体層の一部が挟まれており、
前記ビア電極部は、少なくとも前記第２誘電体層内に形成されている、フィルタ。
【請求項２７】
請求項１〜２６のいずれか１項に記載のフィルタにおいて、
前記第１ビア電極部と前記第２ビア電極部との間の箇所に前記第２方向に沿うように配列されているとともに、一端が前記第１主面側遮蔽導体に接続され、他端が前記第２主面側遮蔽導体に接続された複数の結合調整ビア電極を更に備える、フィルタ。
【請求項２８】
請求項１６、１９、２０、２１、２２又は２３に記載のフィルタにおいて、
前記第１ビア電極部と前記第２ビア電極部との間の箇所、及び、前記第３ビア電極部と前記第４ビア電極部との間の箇所に前記第２方向に沿うように配列されているとともに、一端が前記第１主面側遮蔽導体に接続され、他端が前記第２主面側遮蔽導体に接続された複数の結合調整ビア電極を更に備える、フィルタ。
【請求項２９】
請求項２８に記載のフィルタにおいて、
前記第１ビア電極部と前記第２ビア電極部との間の前記箇所に位置する前記結合調整ビア電極の数と、前記第３ビア電極部と前記第４ビア電極部との間の前記箇所に位置する前記結合調整ビア電極の数とが、互いに異なる、フィルタ。
【請求項３０】
請求項１〜２６のいずれか１項に記載のフィルタにおいて、
前記第２主面側遮蔽導体には、前記第１ビア電極部と前記第２ビア電極部との間の箇所にスリットが形成されている、フィルタ。
【請求項３１】
請求項１〜３０のいずれか１項に記載のフィルタにおいて、
前記誘電体基板の前記複数の側面のうちの第１側面の法線方向と、前記誘電体基板の前記複数の側面のうちの第２側面の法線方向とは、前記第１方向に沿っており、
前記誘電体基板の前記複数の側面のうちの第３側面の法線方向と、前記誘電体基板の前記複数の側面のうちの第４側面の法線方向とは、前記第２方向に沿っており、
前記第１ビア電極部は、前記誘電体基板の前記第１方向における中心に対して前記第１側面側に位置しており、
前記第２ビア電極部は、前記誘電体基板の前記第１方向における前記中心に対して前記第２側面側に位置しており、
前記第１ビア電極部及び前記第２ビア電極部は、前記誘電体基板の前記第２方向における中心に対して前記第３側面側に位置しており、
前記第１側面に形成され、前記第２主面側遮蔽導体に結合された第１入出力端子と、
前記第２側面に形成され、前記第２主面側遮蔽導体に結合された第２入出力端子とを更に備え、
前記第１入出力端子及び前記第２入出力端子は、前記誘電体基板の前記第２方向における前記中心に対して前記第３側面側に位置している、フィルタ。
【請求項３２】
請求項１〜３０のいずれか１項に記載のフィルタにおいて、
前記誘電体基板の前記複数の側面のうちの第１側面の法線方向と、前記誘電体基板の前記複数の側面のうちの第２側面の法線方向とは、前記第１方向に沿っており、
前記第１ビア電極部は、前記誘電体基板の前記第１方向における中心に対して前記第１側面側に位置しており、
前記第２ビア電極部は、前記誘電体基板の前記第１方向における前記中心に対して前記第２側面側に位置しており、
前記第１側面に形成され、前記第２主面側遮蔽導体に接続された第１入出力端子と、
前記第２側面に形成され、前記第２主面側遮蔽導体に接続された第２入出力端子とを更に備え、
前記第２主面側遮蔽導体のうちの前記第１入出力端子側の部分には、前記第１方向に沿うように第１スリットが形成されており、
前記第２主面側遮蔽導体のうちの前記第２入出力端子側の部分には、前記第１方向に沿うように第２スリットが形成されており、
前記第１入出力端子の中心の前記第２方向における位置は、前記第１ビア電極部の中心の前記第２方向における位置と、前記第１スリットの中心の前記第２方向における位置との間であり、
前記第２入出力端子の中心の前記第２方向における位置は、前記第２ビア電極部の中心の前記第２方向における位置と、前記第２スリットの中心の前記第２方向における位置との間であり、
前記第１スリットの前記中心の前記第２方向における位置は、前記第１入出力端子の前記中心の前記第２方向における位置と、前記第３ビア電極部の中心の前記第２方向における位置との間であり、
前記第２スリットの前記中心の前記第２方向における位置は、前記第２入出力端子の前記中心の前記第２方向における位置と、前記第３ビア電極部の前記中心の前記第２方向における位置との間である、フィルタ。
【請求項３３】
請求項１〜３０のいずれか１項に記載のフィルタにおいて、
前記誘電体基板の前記複数の側面のうちの第１側面の法線方向と、前記誘電体基板の前記複数の側面のうちの第２側面の法線方向とは、前記第１方向に沿っており、
前記第１ビア電極部は、前記誘電体基板の前記第１方向における中心に対して前記第１側面側に位置しており、
前記第２ビア電極部は、前記誘電体基板の前記第１方向における前記中心に対して前記第２側面側に位置しており、
前記第１側面に形成された第１入出力端子と、
前記第２側面に形成された第２入出力端子と、
前記第１入出力端子に接続され、前記第２主面側遮蔽導体のうちの前記第１入出力端子側の部分に対向する第１キャパシタ電極パターンと、
前記第２入出力端子に接続され、前記第２主面側遮蔽導体のうちの前記第２入出力端子側の部分に対向する第２キャパシタ電極パターンとを更に備える、フィルタ。
【請求項３４】
請求項１〜３０のいずれか１項に記載のフィルタにおいて、
前記誘電体基板の前記複数の側面のうちの第１側面の法線方向と、前記誘電体基板の前記複数の側面のうちの第２側面の法線方向とは、前記第１方向に沿っており、
前記第１ビア電極部は、前記誘電体基板の前記第１方向における中心に対して前記第１側面側に位置しており、
前記第２ビア電極部は、前記誘電体基板の前記第１方向における前記中心に対して前記第２側面側に位置しており、
前記第１側面に形成された第１入出力端子と、
前記第２側面に形成された第２入出力端子と、
前記第１入出力端子に接続された第１キャパシタ電極パターンと、
前記第２入出力端子に接続された第２キャパシタ電極パターンと、
前記第１ビア電極部に接続され、前記第１キャパシタ電極パターンに容量結合する第３キャパシタ電極パターンと、
前記第２ビア電極部に接続され、前記第２キャパシタ電極パターンに容量結合する第４キャパシタ電極パターンとを更に備える、フィルタ。
【請求項３５】
請求項３３又は３４に記載のフィルタにおいて、
前記第１キャパシタ電極パターンの中心の前記第２方向における位置は、前記第１ビア電極部の中心の前記第２方向における位置と、前記第３ビア電極部の中心の前記第２方向における位置との間であり、
前記第２キャパシタ電極パターンの中心の前記第２方向における位置は、前記第２ビア電極部の中心の前記第２方向における位置と、前記第３ビア電極部の前記中心の前記第２方向における位置との間である、フィルタ。
【請求項３６】
請求項１〜３０のいずれか１項に記載のフィルタにおいて、
前記誘電体基板の前記複数の側面のうちの第１側面の法線方向と、前記誘電体基板の前記複数の側面のうちの第２側面の法線方向とは、前記第１方向に沿っており、
前記第１ビア電極部は、前記誘電体基板の前記第１方向における中心に対して前記第１側面側に位置しており、
前記第２ビア電極部は、前記誘電体基板の前記第１方向における前記中心に対して前記第２側面側に位置しており、
前記第１側面に形成された第１入出力端子と、
前記第２側面に形成された第２入出力端子と、
前記第１入出力端子と前記第１ビア電極部とを接続する第１入出力パターンと、
前記第２入出力端子と前記第２ビア電極部とを接続する第２入出力パターンとを更に備える、フィルタ。
【請求項３７】
請求項１〜３０のいずれか１項に記載のフィルタにおいて、
前記誘電体基板の前記複数の側面のうちの第１側面の法線方向と、前記誘電体基板の前記複数の側面のうちの第２側面の法線方向とは、前記第１方向に沿っており、
前記第１ビア電極部は、前記誘電体基板の前記第１方向における中心に対して前記第１側面側に位置しており、
前記第２ビア電極部は、前記誘電体基板の前記第１方向における前記中心に対して前記第２側面側に位置しており、
前記第１側面に形成された第１入出力端子と、
前記第２側面に形成された第２入出力端子と、
前記第１共振器に備えられた前記第１キャパシタ電極と前記第１入出力端子とを接続する第１接続線路と、
前記第２共振器に備えられた前記第１キャパシタ電極と前記第２入出力端子とを接続する第２接続線路とを更に備える、フィルタ。
【請求項３８】
請求項１〜３７のいずれか１項に記載のフィルタにおいて、
互いに隣接する前記複数の共振器のうちの一方に備えられ、複数の第１電極を含む第１櫛形電極を有する第１結合容量電極と、
互いに隣接する前記複数の共振器のうちの他方に備えられ、複数の第２電極を含む第２櫛形電極を有し、前記第１結合容量電極と同一の層に形成された第２結合容量電極とを更に備え、
前記第１電極と前記第２電極とは、交互に隣接するように配置されている、フィルタ。
【請求項３９】
請求項１〜３０のいずれか１項に記載のフィルタにおいて、
前記誘電体基板の前記第１主面に形成された第１入出力端子と、
前記誘電体基板の前記第１主面に形成された第２入出力端子と、
前記誘電体基板内に形成され、前記第１入出力端子に接続された第１入出力ビア電極部と、
前記誘電体基板内に形成され、前記第２入出力端子に接続された第２入出力ビア電極部と、
前記第１入出力ビア電極部と前記第１ビア電極部とを接続する第１中継パターンと、
前記第２入出力ビア電極部と前記第２ビア電極部とを接続する第２中継パターンとを更に備える、フィルタ。
【発明の詳細な説明】
【技術分野】
【０００１】
本発明は、フィルタに関する。
【背景技術】
【０００２】
誘電体基板の一方の主面側に形成された遮蔽導体に対向するストリップ線路と、一端が誘電体基板の他方の主面側に形成された遮蔽導体に接続され、他端がストリップ線路に接続されたビア電極とを有する共振器が提案されている。
【０００３】
また、特許文献１には、２つの共振器間に結合調整用ビアホールが設けられた共振器デバイスが開示されている。特許文献１によれば、２つの共振器間の誘導結合（結合度）が結合調整用ビアホールによって調整され得る。
【先行技術文献】
【特許文献】
【０００４】
【特許文献１】特表２０１１−５０７３１２号公報
【発明の概要】
【発明が解決しようとする課題】
【０００５】
しかしながら、特許文献１では、共振器間の結合度を小さくすることはできるが、結合度の調整の自由度が狭いため、場合によっては良好な特性が得られないことが考えられる。また、結合調整用ビアホールを用いることなく、共振器間の距離を調整することにより、共振器間の結合度を調整することも考えられるが、共振器間の距離を大きくした場合には、フィルタのサイズが大きくなってしまうこととなる。
【０００６】
本発明の目的は、特性の良好な小型のフィルタを提供することにある。
【課題を解決するための手段】
【０００７】
本発明の一態様によるフィルタは、第１主面と、前記第１主面に対向する第２主面と、複数の側面とを有する誘電体基板と、前記誘電体基板の前記第１主面側に形成された第１主面側遮蔽導体と、前記誘電体基板の前記第２主面側に形成された第２主面側遮蔽導体と、前記誘電体基板内に形成されているとともに複数のビア電極から構成されたビア電極部と、前記第１主面側遮蔽導体に対向するとともに前記ビア電極部の一端に接続された第１キャパシタ電極とをそれぞれ備える複数の共振器とを備え、前記複数の共振器の各々には、前記ビア電極部が１つずつ備えられており、前記複数の共振器のうちの第１共振器に備えられた前記ビア電極部である第１ビア電極部と、前記複数の共振器のうちの第２共振器に備えられた前記ビア電極部である第２ビア電極部とが、第１方向において互いにずらされており、前記複数の共振器のうちの第３共振器に備えられた前記ビア電極部である第３ビア電極部が、前記第１ビア電極部又は前記第２ビア電極部に対して、前記第１方向に交差する第２方向においてずらされている。
【発明の効果】
【０００８】
本発明によれば、特性の良好な小型のフィルタを提供することができる。
【図面の簡単な説明】
【０００９】
【図１】第１実施形態によるフィルタを示す斜視図である。
【図２】図２Ａは、第１実施形態によるフィルタを示す平面図であり、図２Ｂは、第１実施形態によるフィルタを示す断面図である。
【図３】第１実施形態によるフィルタを示す斜視図である。
【図４】第１本実施形態によるフィルタを示す平面図である。
【図５】図５Ａ及び図５Ｂは、同軸共振器のモデルの例を示す図であり、図５Ｃ及び図５Ｄは、同軸共振器のモデルの他の例を示す図である。
【図６】同軸共振器のＱ値のシミュレーション結果を示すグラフである。
【図７】図７Ａ及び図７Ｂは、同軸共振器のモデルの更に他の例を示す図である。
【図８】同軸共振器のＱ値のシミュレーション結果を示すグラフである。
【図９】同軸共振器のＱ値のシミュレーション結果を示すグラフである。
【図１０】共振器のレイアウトの例を示す平面図である。
【図１１】本実施形態によるフィルタの特性を示すグラフである。
【図１２】寸法の設定の例を示す図である。
【図１３】第１実施形態の変形例１によるフィルタを示す平面図である。
【図１４】第１実施形態の変形例２によるフィルタを示す平面図である。
【図１５】第１実施形態の変形例３によるフィルタを示す平面図である。
【図１６】第１実施形態の変形例４によるフィルタを示す平面図である。
【図１７】第１実施形態の変形例５によるフィルタを示す平面図である。
【図１８】第１実施形態の変形例６によるフィルタを示す平面図である。
【図１９】第１実施形態の変形例７によるフィルタを示す平面図である。
【図２０】第１実施形態の変形例８によるフィルタを示す平面図である。
【図２１】第１実施形態の変形例９によるフィルタを示す平面図である。
【図２２】第１実施形態の変形例１０によるフィルタを示す斜視図である。
【図２３】第１実施形態の変形例１０によるフィルタを示す平面図である。
【図２４】第１実施形態の変形例１１によるフィルタを示す平面図である。
【図２５】第１実施形態の変形例１２によるフィルタを示す平面図である。
【図２６】第１実施形態の変形例１３によるフィルタを示す平面図である。
【図２７】第１実施形態の変形例１４によるフィルタを示す平面図である。
【図２８】第２実施形態によるフィルタを示す斜視図である。
【図２９】図２９Ａは、第２実施形態によるフィルタを示す平面図であり、図２９Ｂは、第２実施形態によるフィルタを示す断面図である。
【図３０】第３実施形態によるフィルタを示す断面図である。
【図３１】第４実施形態によるフィルタを示す斜視図である。
【図３２】第４実施形態によるフィルタを示す平面図である。
【図３３】第４実施形態の変形例１によるフィルタを示す平面図である。
【図３４】第４実施形態の変形例２によるフィルタを示す平面図である。
【図３５】第４実施形態の変形例３によるフィルタを示す平面図である。
【図３６】第４実施形態の変形例４によるフィルタを示す平面図である。
【図３７】第４実施形態の変形例５によるフィルタを示す平面図である。
【図３８】第４実施形態の変形例６によるフィルタを示す平面図である。
【図３９】第５実施形態によるフィルタを示す平面図である。
【図４０】第６実施形態によるフィルタを示す斜視図である。
【図４１】第６実施形態の変形例１によるフィルタを示す斜視図である。
【図４２】第６実施形態の変形例２によるフィルタを示す斜視図である。
【図４３】第６実施形態の変形例２によるフィルタを示す平面図である。
【図４４】第６実施形態の変形例３によるフィルタを示す斜視図である。
【図４５】図４５Ａは、第６実施形態の変形例３によるフィルタを示す平面図であり、図４５Ｂは、第６実施形態の変形例３によるフィルタを示す断面図である。
【図４６】第６実施形態の変形例４によるフィルタを示す斜視図である。
【図４７】第６実施形態の変形例４によるフィルタを示す平面図である。
【図４８】第６実施形態の変形例５によるフィルタを示す斜視図である。
【図４９】図４９Ａは、第６実施形態の変形例５によるフィルタを示す平面図であり、図４９Ｂは、第６実施形態の変形例５によるフィルタを示す断面図である。
【図５０】第６実施形態の変形例６によるフィルタを示す斜視図である。
【図５１】図５１Ａは、第６実施形態の変形例６によるフィルタを示す平面図であり、図５１Ｂは、第６実施形態の変形例６によるフィルタを示す断面図である。
【図５２】第７実施形態によるフィルタを示す斜視図である。
【図５３】第７実施形態によるフィルタを示す平面図である。
【図５４】第８実施形態によるフィルタを示す斜視図である。
【図５５】図５５Ａ及び図５５Ｂは、第８実施形態によるフィルタを示す平面図である。
【図５６】第８実施形態によるフィルタを示す断面図である。
【図５７】変形実施形態によるフィルタの例を示す平面図である。
【図５８】寸法の設定の他の例を示す図である。
【図５９】２つのビア電極によってビア電極部が構成されている場合の例を示す図である。
【発明を実施するための形態】
【００１０】
本発明に係るフィルタについて、好適な実施形態を挙げ、添付の図面を参照して以下に詳細に説明する。
【００１１】
［第１実施形態］
第１実施形態によるフィルタについて図面を用いて説明する。図１は、本実施形態によるフィルタを示す斜視図である。図２Ａは、本実施形態によるフィルタを示す平面図である。図２Ｂは、本実施形態によるフィルタを示す断面図である。図１〜図２Ｂには、３つの共振器１１Ａ〜１１Ｃが備えられている場合の例が示されている。
【００１２】
図１〜図２Ｂに示すように、本実施形態によるフィルタ１０には、誘電体基板１４が備えられている。誘電体基板１４は、例えば直方体状に形成されているが、これに限定されるものではない。誘電体基板１４は、複数のセラミックスシート（誘電体セラミックスシート）を積層することにより構成されている。
【００１３】
誘電体基板１４は、２つの主面１４ａ、１４ｂと、４つの側面１４ｃ〜１４ｆとを有している。側面１４ｃ及び側面１４ｄの法線方向に沿う方向、より具体的には、側面１４ｃ、１４ｄの法線方向を、Ｘ方向とする。側面１４ｅ及び側面１４ｆの法線方向に沿う方向、より具体的には、側面１４ｅ、１４ｆの法線方向を、Ｙ方向とする。誘電体基板１４の一方の主面（第１主面）１４ａ及び他方の主面（第２主面）１４ｂの法線方向に沿う方向、より具体的には、主面１４ａ、１４ｂの法線方向を、Ｚ方向とする。
【００１４】
誘電体基板１４のうちの主面１４ａ側、即ち、図１における誘電体基板１４の下側には、第１主面側遮蔽導体（下部遮蔽導体、遮蔽導体）１２Ａが形成されている。誘電体基板１４のうちの主面１４ｂ側、即ち、図１における誘電体基板１４の上側には、第２主面側遮蔽導体（上部遮蔽導体、遮蔽導体）１２Ｂが形成されている。
【００１５】
誘電体基板１４の側面１４ｃには、入出力端子２２Ａが形成されている。誘電体基板１４の側面１４ｄには、入出力端子２２Ｂが形成されている。入出力端子２２Ａは、接続線路３２ａを介して第２主面側遮蔽導体１２Ｂに結合されている。また、入出力端子２２Ｂは、接続線路３２ｂを介して第２主面側遮蔽導体１２Ｂに結合されている。
【００１６】
誘電体基板１４の側面１４ｅには、遮蔽導体１２Ｃａが形成されている。誘電体基板１４の側面１４ｆには、遮蔽導体１２Ｃｂが形成されている。遮蔽導体１２Ｃａ、１２Ｃｂは、板状に形成されている。
【００１７】
誘電体基板１４内には、第１主面側遮蔽導体１２Ａに対向するキャパシタ電極（第１キャパシタ電極、第１ストリップ線路）１８Ａ〜１８Ｃが形成されている。図１においてはキャパシタ電極１８Ａ〜１８Ｃが正方形で示されているが、キャパシタ電極１８Ａ〜１８Ｃの形状は正方形に限定されるものではない。例えば、キャパシタ電極１８Ａ〜１８Ｃの形状は長方形であってもよい。なお、キャパシタ電極一般について説明する際には、符号１８を用い、個々のキャパシタ電極について説明する際には、符号１８Ａ〜１８Ｃを用いる。
【００１８】
誘電体基板１４内には、ビア電極部２０Ａ、ビア電極部２０Ｂ、及び、ビア電極部２０Ｃが更に形成されている。なお、ビア電極部一般について説明する際には、符号２０を用い、個々のビア電極部について説明する際には符号２０Ａ〜２０Ｃを用いる。
【００１９】
ビア電極部２０は、複数のビア電極２４によって構成されている。ビア電極２４は、誘電体基板１４に形成されたビアホールにそれぞれ埋め込まれている。ビア電極部２０を構成する複数のビア電極２４は、上面から見たとき、仮想の環２６、より具体的には、仮想の円に沿って配列されている。複数のビア電極２４を仮想の環２６に沿うように配列することによってビア電極部２０が構成されているため、当該ビア電極部２０は、当該仮想の環２６に対応する大径のビア電極のように振る舞い得る。ビア電極部２０が比較的径の小さい複数のビア電極２４によって構成されているため、製造プロセスの簡略化を図ることができる。また、径が比較的小さい複数のビア電極２４によってビア電極部２０が構成されているため、ビア電極部２０の径のバラツキを小さくすることができる。また、径が比較的小さい複数のビア電極２４によってビア電極部２０が構成されているため、ビアに埋め込まれる銀等の材料が少なくて済み、コストダウンを実現することができる。
【００２０】
ビア電極部２０の一端、即ち、下端は、キャパシタ電極１８に接続されている。ビア電極部２０の他端、即ち、上端は、第２主面側遮蔽導体１２Ｂに接続されている。このように、ビア電極部２０は、キャパシタ電極１８から第２主面側遮蔽導体１２Ｂにかけて形成されている。
【００２１】
キャパシタ電極１８Ａとビア電極部２０Ａとにより、構造体１６Ａが構成されている。キャパシタ電極１８Ｂとビア電極部２０Ｂとにより、構造体１６Ｂが構成されている。キャパシタ電極１８Ｃとビア電極部２０Ｃとにより、構造体１６Ｃが構成されている。なお、構造体一般について説明する際には符号１６を用い、個々の構造体について説明する際には符号１６Ａ〜１６Ｃを用いる。各々の構造体１６間には、不図示のパターンが適宜設けられ得る。
【００２２】
フィルタ１０には、構造体１６Ａ〜１６Ｃをそれぞれ含む複数の共振器、即ち、共振器１１Ａ、共振器１１Ｂ、及び、共振器１１Ｃが備えられている。なお、共振器一般について説明する際には、符号１１を用い、個々の共振器について説明する際には、符号１１Ａ〜１１Ｃを用いる。
【００２３】
共振器１１Ａと共振器１１Ｃとは互いに隣接するように配列されている。共振器１１Ｃと共振器１１Ｂとは、互いに隣接するように配列されている。複数の共振器１１の各々には、ビア電極部２０が１つずつ備えられている。
【００２４】
図２Ａに示すように、ビア電極部２０Ａとビア電極部２０Ｂとビア電極部２０Ｃとは、Ｘ方向において互いにずらされている。ビア電極部２０Ｃの中心Ｐ３のＸ方向における位置は、ビア電極部２０Ａの中心Ｐ１のＸ方向における位置と、ビア電極部２０Ｂの中心Ｐ２のＸ方向における位置との間である。ビア電極部２０Ａの中心Ｐ１のＹ方向における位置と、ビア電極部２０Ｂの中心Ｐ２のＹ方向における位置とは同等である。ビア電極部２０Ｃは、ビア電極部２０Ａ及びビア電極部２０Ｂに対して、Ｙ方向においてずらされている。ビア電極部２０Ａ及びビア電極部２０Ｂは、側面１４ｅ側に位置している。ビア電極部２０Ｃは、側面１４ｆ側に位置している。
【００２５】
このように、本実施形態では、ビア電極部２０Ａの中心Ｐ１の位置とビア電極部２０Ｃの中心Ｐ３の位置とが、Ｘ方向において互いにずらされているのみならず、Ｙ方向においても互いにずらされている。このため、本実施形態によれば、ビア電極部２０Ａ、２０Ｃ間のＸ方向における距離を大きくすることなく、ビア電極部２０Ａ、２０Ｃ間の距離を大きくすることができる。また、本実施形態によれば、ビア電極部２０Ｂの中心Ｐ２の位置とビア電極部２０Ｃの中心Ｐ３の位置とが、Ｘ方向において互いにずらされているのみならず、Ｙ方向においても互いにずらされている。このため、本実施形態によれば、ビア電極部２０Ｂ、２０Ｃ間のＸ方向における距離を大きくすることなく、ビア電極部２０Ｂ、２０Ｃ間の距離を大きくすることができる。このため、本実施形態によれば、隣接する共振器１１Ａ〜１１ＣのＸ方向における距離を大きくすることなく、隣接する共振器１１Ａ〜１１Ｃ間の結合度を小さくすることができる。従って、本実施形態によれば、フィルタ１０のサイズを小さく保ちつつ、特性の良好なフィルタ１０を得ることができる。
【００２６】
図３は、本実施形態によるフィルタを示す斜視図である。図４は、本実施形態によるフィルタを示す平面図である。図３及び図４には、４つの共振器１１Ａ〜１１Ｄが備えられている場合の例が示されている。
【００２７】
誘電体基板１４内には、第１主面側遮蔽導体１２Ａに対向するキャパシタ電極１８Ｄが更に形成されている。誘電体基板１４内には、ビア電極部２０Ｄが更に形成されている。キャパシタ電極１８Ｄとビア電極部２０Ｄとにより、構造体１６Ｄが構成されている。フィルタ１０には、構造体１６Ｄを含む共振器１１Ｄが更に備えられている。
【００２８】
共振器１１Ａと共振器１１Ｃとは互いに隣接するように配列されている。共振器１１Ｃと共振器１１Ｄとは、互いに隣接するように配列されている。共振器１１Ｄと共振器１１Ｂとは、互いに隣接するように配列されている。
【００２９】
図４に示すように、ビア電極部２０Ａとビア電極部２０Ｂとビア電極部２０Ｃとビア電極部２０Ｄとは、Ｘ方向において互いにずらされている。ビア電極部２０Ｃの中心Ｐ３のＸ方向における位置は、ビア電極部２０Ａの中心Ｐ１のＸ方向における位置と、ビア電極部２０Ｄの中心Ｐ４のＸ方向における位置との間である。ビア電極部２０Ｄの中心Ｐ４のＸ方向における位置は、ビア電極部２０Ｃの中心Ｐ３のＸ方向における位置と、ビア電極部２０Ｂの中心Ｐ２のＸ方向における位置との間である。ビア電極部２０Ａの中心Ｐ１のＹ方向における位置と、ビア電極部２０Ｂの中心Ｐ２のＹ方向における位置とは同等である。ビア電極部２０Ｃの中心Ｐ３のＹ方向における位置と、ビア電極部２０Ｄの中心Ｐ４のＹ方向における位置とは同等である。ビア電極部２０Ｃ及びビア電極部２０Ｄは、ビア電極部２０Ａ及びビア電極部２０Ｂに対して、Ｙ方向においてずらされている。ビア電極部２０Ａ及びビア電極部２０Ｂは、側面１４ｅ側に位置している。ビア電極部２０Ｃ及びビア電極部２０Ｄは、側面１４ｆ側に位置している。
【００３０】
このように、本実施形態によれば、ビア電極部２０Ａの中心Ｐ１の位置とビア電極部２０Ｃの中心Ｐ３の位置とが、Ｘ方向において互いにずらされているのみならず、Ｙ方向においても互いにずらされている。このため、本実施形態によれば、ビア電極部２０Ａ、２０Ｃ間のＸ方向における距離を大きくすることなく、ビア電極部２０Ａ、２０Ｃ間の距離を大きくすることができる。また、本実施形態によれば、ビア電極部２０Ｂの中心Ｐ２の位置とビア電極部２０Ｄの中心Ｐ４の位置とが、Ｘ方向において互いにずらされているのみならず、Ｙ方向においても互いにずらされている。このため、本実施形態によれば、ビア電極部２０Ｂ、２０Ｄ間のＸ方向における距離を大きくすることなく、ビア電極部２０Ｂ、２０Ｄ間の距離を大きくすることができる。このため、本実施形態によれば、互いに隣接する共振器１１Ａ〜１１ＤのＸ方向における距離を大きくすることなく、互いに隣接する共振器１１Ａ〜１１Ｄ間の結合度を小さくすることができる。従って、本実施形態によれば、フィルタ１０のサイズを小さく保ちつつ、互いに隣接する共振器１１Ａ〜１１Ｄ間の結合度を小さくすることができ、特性の良好なフィルタ１０を得ることができる。
【００３１】
フィルタ１０に備えられた各々の共振器１１は、同軸共振器のような振る舞いをすると考えられる。図５Ａ及び図５Ｂは、同軸共振器のモデルの例を示す図である。図５Ａは、斜視図であり、図５Ｂは、平面図である。図５Ａ及び図５Ｂに示すモデルにおいては、円柱状の内部導体２８Ａと、円筒状の外部導体２８Ｂとによって同軸共振器３０Ａが構成されている。外部導体２８Ｂは、内部導体２８Ａの中心軸を中心として当該内部導体２８Ａの周囲に形成されている。内部導体２８Ａの径はＤＡであり、外部導体２８Ｂの径はＤＢである。
【００３２】
一般的な同軸共振器は、図５Ａ及び図５Ｂに示すような円柱状の同軸共振器である。しかし、フィルタ１０に備えられる共振器１１は、円柱状の同軸共振器をモデルとするよりも、四角柱状の同軸共振器をモデルとした方が考えやすい。図５Ｃ及び図５Ｄは、同軸共振器のモデルの他の例を示す図である。図５Ｃ及び図５Ｄには、四角柱状の同軸共振器のモデルが示されている。図５Ｃは、斜視図であり、図５Ｄは、平面図である。図５Ｃ及び図５Ｄに示すモデルにおいては、円柱状の内部導体２８Ａと、四角筒状の外部導体２８Ｃとによって同軸共振器３０Ｂが構成されている。外部導体２８Ｃは、内部導体２８Ａの中心軸を中心として当該内部導体２８Ａの周囲に形成されている。内部導体２８Ａの径はＤＡであり、外部導体２８Ｃの径はＤＢである。
【００３３】
図６は、同軸共振器のＱ値のシミュレーション結果を示すグラフである。図６には、円柱状の同軸共振器３０ＡのＱ値と、四角柱状の同軸共振器３０ＢのＱ値とが示されている。横軸は径比（ＤＡ／ＤＢ）を示しており、縦軸はＱ値を示している。シミュレーションを行う際には、外径ＤＢを２ｍｍに設定した。図６から分かるように、径比が約０．３の際にＱ値がピークとなる。四角柱状の同軸共振器３０ＢのＱ値が円柱状の同軸共振器３０ＡのＱ値より高くなるのは、四角柱状の同軸共振器３０Ｂの外部導体２８Ｃの方が円柱状の同軸共振器３０Ａの外部導体２８Ｂより断面積が大きいため、損失が小さくなるためと考えられる。
【００３４】
上述したように、本実施形態では、環状に配された複数のビア電極２４によってビア電極部２０が構成されている。ビア電極部２０は、同軸共振器の内部導体に対応している。図７Ａ及び図７Ｂは、同軸共振器のモデルの更に他の例を示す図である。図７Ａ及び図７Ｂには、環状に配された複数のビア電極によって内部導体が構成された同軸共振器のモデルが示されている。図７Ａは、斜視図であり、図７Ｂは、平面図である。図７Ａ及び図７Ｂに示すモデルにおいては、内部導体２８Ｄと、四角筒状の外部導体２８Ｃとによって同軸共振器３０Ｃが構成されている。内部導体２８Ｄは、仮想の環２６に沿うように配列された複数のビア電極２４によって構成されている。外部導体２８Ｃは、内部導体２８Ｄの中心軸を中心として当該内部導体２８Ｄの周囲に形成されている。内部導体２８Ｄの径はＤＡであり、外部導体２８Ｃの径はＤＢである。仮想の環２６の径が、内部導体２８Ｄの径ＤＡに相当している。
【００３５】
図８は、同軸共振器のＱ値のシミュレーション結果を示すグラフである。図８には、上述した同軸共振器３０ＢのＱ値と、上述した同軸共振器３０ＣのＱ値とが示されている。横軸は径比（ＤＡ／ＤＢ）を示しており、縦軸はＱ値を示している。シミュレーションを行う際には、外径ＤＢを２ｍｍに設定し、ビア電極２４の径を１００μｍに設定した。図８から分かるように、径比が０．２〜０．４の範囲において、Ｑ値が十分に高くなる。
【００３６】
図９は、同軸共振器のＱ値のシミュレーション結果を示すグラフである。図９には、外部導体２８Ｃの径とＱ値との関係が示されている。図９から分かるように、内部導体２８Ｄと外部導体２８Ｃとの間の距離が大きくなるに伴ってＱ値が大きくなる。
【００３７】
図１０は、共振器のレイアウトの例を示す平面図である。図１０には、４つの共振器１１Ａ〜１１Ｄを配する場合のレイアウトの例が示されている。なお、ここでは、４つの共振器１１Ａ〜１１Ｄを配する場合を例に説明するが、共振器１１の数は４つに限定されるものではない。共振器１１の数は３つであってもよいし、５つ以上であってもよい。
【００３８】
図１０に示すレイアウトにおいては、１つのマス目の寸法を６４０μｍとしているが、これに限定されるものではない。図１０に示すレイアウトにおいては、Ｘ方向におけるフィルタ１０の寸法を４．４８ｍｍとし、Ｙ方向におけるフィルタ１０の寸法を３．２ｍｍとしているが、これに限定されるものではない。このようなレイアウトにおいては、径比（ＤＡ／ＤＢ）が０．３３となる。図８を用いて上述したように、径比が０．２〜０．４の範囲においてＱ値が十分に高くなる。従って、図１０に示すようなレイアウトにすれば、Ｑ値の良好なフィルタ１０を得ることが可能である。
【００３９】
図１１は、本実施形態によるフィルタの特性を示すグラフである。横軸は周波数を示しており、左側の縦軸は減衰損失又は反射損失を示しており、右側の縦軸は挿入損失を示している。実線は、実施例、即ち、本実施形態の場合を示しており、破線は、比較例の場合を示している。比較例においては、４つの共振器をフィルタの長手方向に沿って配列し、各々の共振器に対してビア電極部を２つずつ設けた。
【００４０】
図１１から分かるように、実施例によるフィルタの減衰帯域における減衰量と、比較例によるフィルタの減衰帯域における減衰量とは、同等である。また、実施例によるフィルタの通過帯域における反射損失と、比較例によるフィルタの通過帯域における反射損失とは、同等である。また、実施例によるフィルタの通過帯域における挿入損失は、１．５ｄＢであり、比較例によるフィルタの通過帯域における挿入損失は、１．９ｄＢである。即ち、実施例によるフィルタの通過帯域における挿入損失は、比較例によるフィルタの通過帯域における挿入損失より小さい。また、挿入損失が３ｄＢとなる周波数の通過帯域端からのマージンは、比較例では５２ＭＨｚであったが、実施例では６８ＭＨｚであった。これらのことから、本実施形態では、比較例と比較して、挿入損失を大きく改善し得ることが分かる。このように、本実施形態によれば、良好な特性のフィルタ１０を得ることができる。
【００４１】
図１２は、寸法の設定の例を示す図である。上述したように、径比（ＤＡ／ＤＢ）が０．２〜０．４の範囲においてＱ値が十分に高くなる。遮蔽導体１２Ｃａ、１２Ｃｂとビア電極部２０との間の距離ＤＣ１が０．７５ＤＡ〜２ＤＡである場合に、径比（ＤＡ／ＤＢ）が０．２〜０．４となる。互いに隣接するビア電極部２０間の距離ＤＣ２が０．７５ＤＡ〜２ＤＡである場合に、径比（ＤＡ／ＤＢ）が０．２〜０．４となる。なお、距離ＤＣ１は、遮蔽導体１２Ｃａ、１２Ｃｂとビア電極部２０の中心との間の距離ではなく、遮蔽導体１２Ｃａ、１２Ｃｂとビア電極部２０の外縁、即ち、仮想の環２６との間の距離である。また、距離ＤＣ２は、互いに隣接するビア電極部２０の中心間の距離ではなく、互いに隣接するビア電極部２０の外縁間の距離、即ち、仮想の環２６間の距離である。このように、本実施形態では、例えば、遮蔽導体１２Ｃａとビア電極部２０との間の距離ＤＣ１の仮想の環２６の径ＤＡに対する比は、０．７５〜２に設定される。また、本実施形態では、例えば、互いに隣接するビア電極部２０間の距離ＤＣ２の仮想の環２６の径ＤＡに対する比は、０．７５〜２に設定される。
【００４２】
このように、本実施形態では、共振器１１Ａに備えられたビア電極部２０Ａと、共振器１１Ｂに備えられたビア電極部２０Ｂとが、Ｘ方向において互いにずらされている。また、本実施形態では、共振器１１Ｃに備えられたビア電極部２０Ｃが、ビア電極部２０Ａ及びビア電極部２０Ｂに対して、Ｙ方向においてずらされている。このため、本実施形態によれば、ビア電極部２０Ａ、２０Ｃ間のＸ方向における距離を大きくすることなく、ビア電極部２０Ａ、２０Ｃ間の距離を大きくすることができる。また、本実施形態によれば、ビア電極部２０Ｂ、２０Ｃ間のＸ方向における距離を大きくすることなく、ビア電極部２０Ｂ、２０Ｃ間の距離を大きくすることができる。このため、本実施形態によれば、互いに隣接する共振器１１Ａ〜１１ＣのＸ方向における距離を大きくすることなく、互いに隣接する共振器１１Ａ〜１１Ｃ間の結合度を小さくすることができる。従って、本実施形態によれば、フィルタ１０のサイズを小さく保ちつつ、特性の良好なフィルタ１０を得ることができる。
【００４３】
（変形例１）
本実施形態によるフィルタの変形例１について図１３を用いて説明する。図１３は、本変形例によるフィルタを示す平面図である。
【００４４】
図１３に示すように、本変形例では、ビア電極部２０Ａの中心Ｐ１のＸ方向における位置と、ビア電極部２０Ｃの中心Ｐ３のＸ方向における位置とは、同等である。また、ビア電極部２０Ｂの中心Ｐ２のＸ方向における位置と、ビア電極部２０Ｄの中心Ｐ４のＸ方向における位置とは、同等である。また、ビア電極部２０Ａの中心Ｐ１のＹ方向における位置と、ビア電極部２０Ｂの中心Ｐ２のＹ方向における位置とは、同等である。また、ビア電極部２０Ｃの中心Ｐ３のＹ方向における位置と、ビア電極部２０Ｄの中心Ｐ４のＹ方向における位置とは、同等である。
【００４５】
このようなレイアウトでフィルタ１０を構成するようにしてもよい。
【００４６】
（変形例２）
本実施形態によるフィルタの変形例２について図１４を用いて説明する。図１４は、本変形例によるフィルタを示す平面図である。
【００４７】
図１４に示すように、ビア電極部２０Ｃの中心Ｐ３のＸ方向における位置と、ビア電極部２０Ｄの中心Ｐ４のＸ方向における位置とは、同等である。また、ビア電極部２０Ａの中心Ｐ１のＹ方向における位置は、ビア電極部２０Ｃの中心Ｐ３のＹ方向における位置とビア電極部２０Ｄの中心Ｐ４のＹ方向における位置との間である。また、ビア電極部２０Ｂの中心Ｐ２のＹ方向における位置は、ビア電極部２０Ｃの中心Ｐ３のＹ方向における位置とビア電極部２０Ｄの中心Ｐ４のＹ方向における位置との間である。
【００４８】
このようなレイアウトでフィルタ１０を構成するようにしてもよい。
【００４９】
（変形例３）
本実施形態によるフィルタの変形例３について図１５を用いて説明する。図１５は、本変形例によるフィルタを示す平面図である。
【００５０】
本変形例では、ビア電極部２０Ａとビア電極部２０Ｂとが、Ｙ方向において互いにずらされている。本変形例では、ビア電極部２０Ａの中心Ｐ１のＹ方向における位置と、ビア電極部２０Ｃの中心Ｐ３のＹ方向における位置とは、同等である。本変形例では、ビア電極部２０Ｂの中心Ｐ２のＹ方向における位置と、ビア電極部２０Ｄの中心Ｐ４のＹ方向における位置とは、同等である。入出力端子２２Ａの中心のＹ方向における位置は、ビア電極部２０Ａの中心Ｐ１のＹ方向における位置と同等である。入出力端子２２Ｂの中心のＹ方向における位置は、ビア電極部２０Ｂの中心Ｐ２のＹ方向における位置と同等である。
【００５１】
このようなレイアウトでフィルタ１０を構成するようにしてもよい。
【００５２】
（変形例４）
本実施形態によるフィルタの変形例４について図１６を用いて説明する。図１６は、本変形例によるフィルタを示す平面図である。
【００５３】
本変形例では、誘電体基板１４内に、第１主面側遮蔽導体１２Ａに対向するキャパシタ電極１８Ｅが更に形成されている。また、本変形例では、誘電体基板１４内に、ビア電極部２０Ｅが更に形成されている。また、本変形例では、キャパシタ電極１８Ｅとビア電極部２０Ｅとにより、構造体１６Ｅが構成されている。本変形例によるフィルタ１０には、構造体１６Ｅを含む共振器１１Ｅが更に備えられている。
【００５４】
ビア電極部２０Ｅの中心Ｐ５のＸ方向における位置は、ビア電極部２０Ｃの中心Ｐ３のＸ方向における位置とビア電極部２０Ｄの中心Ｐ４のＸ方向における位置との間である。ビア電極部２０Ｃの中心Ｐ３のＹ方向における位置と、ビア電極部２０Ｄの中心Ｐ４のＹ方向における位置と、ビア電極部２０Ｅの中心Ｐ５のＹ方向における位置とは、同等である。
【００５５】
このようなレイアウトでフィルタ１０を構成するようにしてもよい。
【００５６】
（変形例５）
本実施形態によるフィルタの変形例５について図１７を用いて説明する。図１７は、本変形例によるフィルタを示す平面図である。
【００５７】
ビア電極部２０Ｅの中心Ｐ５のＸ方向における位置は、ビア電極部２０Ｃの中心Ｐ３のＸ方向における位置とビア電極部２０Ｄの中心Ｐ４のＸ方向における位置との間である。ビア電極部２０Ｅの中心Ｐ５のＹ方向における位置は、ビア電極部２０Ａの中心Ｐ１のＹ方向における位置とビア電極部２０Ｃの中心Ｐ３のＹ方向における位置との間である。ビア電極部２０Ｅの中心Ｐ５のＹ方向における位置は、ビア電極部２０Ｂの中心Ｐ２のＹ方向における位置とビア電極部２０Ｄの中心Ｐ４のＹ方向における位置との間である。
【００５８】
このようなレイアウトでフィルタ１０を構成するようにしてもよい。
【００５９】
（変形例６）
本実施形態によるフィルタの変形例６について図１８を用いて説明する。図１８は、本変形例によるフィルタを示す平面図である。
【００６０】
本変形例では、ビア電極部２０Ｅの中心Ｐ５のＸ方向における位置は、ビア電極部２０Ｃの中心Ｐ３のＸ方向における位置とビア電極部２０Ｄの中心Ｐ４のＸ方向における位置との間である。ビア電極部２０Ｃの中心Ｐ３のＹ方向における位置は、ビア電極部２０Ａの中心Ｐ１のＹ方向における位置とビア電極部２０Ｅの中心Ｐ５のＹ方向における位置との間である。ビア電極部２０Ｄの中心Ｐ４のＹ方向における位置は、ビア電極部２０Ｂの中心Ｐ２のＹ方向における位置とビア電極部２０Ｅの中心Ｐ５のＹ方向における位置との間である。
【００６１】
このようなレイアウトでフィルタ１０を構成するようにしてもよい。
【００６２】
（変形例７）
本実施形態によるフィルタの変形例７について図１９を用いて説明する。図１９は、本変形例によるフィルタを示す平面図である。
【００６３】
ビア電極部２０Ｅの中心Ｐ５のＸ方向における位置は、ビア電極部２０Ｃの中心Ｐ３のＸ方向における位置とビア電極部２０Ｄの中心Ｐ４のＸ方向における位置との間である。ビア電極部２０Ｃの中心Ｐ３のＹ方向における位置と、ビア電極部２０Ｄの中心Ｐ４のＹ方向における位置と、ビア電極部２０Ｅの中心Ｐ５のＹ方向における位置とは、同等である。ビア電極部２０Ｃの中心Ｐ３のＸ方向における位置は、ビア電極部２０Ａの中心Ｐ１のＸ方向における位置とビア電極部２０Ｅの中心Ｐ５のＸ方向における位置との間である。ビア電極部２０Ｄの中心Ｐ４のＸ方向における位置は、ビア電極部２０Ｂの中心Ｐ２のＸ方向における位置とビア電極部２０Ｅの中心Ｐ５のＸ方向における位置との間である。
【００６４】
このようなレイアウトでフィルタ１０を構成するようにしてもよい。
【００６５】
（変形例８）
本実施形態によるフィルタの変形例８について図２０を用いて説明する。図２０は、本変形例によるフィルタを示す平面図である。
【００６６】
ビア電極部２０Ｅの中心Ｐ５のＸ方向における位置は、ビア電極部２０Ｃの中心Ｐ３のＸ方向における位置とビア電極部２０Ｄの中心Ｐ４のＸ方向における位置との間である。また、ビア電極部２０Ｅの中心Ｐ５のＹ方向における位置は、ビア電極部２０Ａの中心Ｐ１のＹ方向における位置とビア電極部２０Ｃの中心Ｐ３のＹ方向における位置との間である。ビア電極部２０Ｅの中心Ｐ５のＹ方向における位置は、ビア電極部２０Ｂの中心Ｐ２のＹ方向における位置とビア電極部２０Ｄの中心Ｐ４のＹ方向における位置との間である。
【００６７】
このようなレイアウトでフィルタ１０を構成するようにしてもよい。
【００６８】
（変形例９）
本実施形態によるフィルタの変形例９について図２１を用いて説明する。図２１は、本変形例によるフィルタを示す平面図である。
【００６９】
本変形例では、ビア電極部２０Ｅの中心Ｐ５のＸ方向における位置は、ビア電極部２０Ｃの中心Ｐ３のＸ方向における位置とビア電極部２０Ｄの中心Ｐ４のＸ方向における位置との間である。ビア電極部２０Ｃの中心Ｐ３のＸ方向における位置は、ビア電極部２０Ａの中心Ｐ１のＸ方向における位置とビア電極部２０Ｅの中心Ｐ５のＸ方向における位置との間である。ビア電極部２０Ｄの中心Ｐ４のＸ方向における位置は、ビア電極部２０Ｂの中心Ｐ２のＸ方向における位置とビア電極部２０Ｅの中心Ｐ５のＸ方向における位置との間である。ビア電極部２０Ｃの中心Ｐ３のＹ方向における位置は、ビア電極部２０Ａの中心Ｐ１のＹ方向における位置とビア電極部２０Ｅの中心Ｐ５のＹ方向における位置との間である。ビア電極部２０Ｄの中心Ｐ４のＹ方向における位置は、ビア電極部２０Ｂの中心Ｐ２のＹ方向における位置とビア電極部２０Ｅの中心Ｐ５のＹ方向における位置との間である。
【００７０】
このようなレイアウトでフィルタ１０を構成するようにしてもよい。
【００７１】
（変形例１０）
本実施形態によるフィルタの変形例１０について図２２及び図２３を用いて説明する。図２２は、本変形例によるフィルタを示す斜視図である。図２３は、本変形例によるフィルタを示す平面図である。図２２〜図２７においては、側面１４ｃ及び側面１４ｄの法線方向に沿う方向、より具体的には、側面１４ｃ、１４ｄの法線方向を、Ｙ方向とする。また、図２２〜図２７においては、側面１４ｅ及び側面１４ｆの法線方向に沿う方向、より具体的には、側面１４ｅ、１４ｆの法線方向を、Ｘ方向とする。
【００７２】
本変形例では、誘電体基板１４の側面１４ｅに、遮蔽導体１２Ｃａと、入出力端子２２Ａとが形成されている。本変形例では、誘電体基板１４の側面１４ｆに、遮蔽導体１２Ｃｂと、入出力端子２２Ｂとが形成されている。本変形例では、誘電体基板１４の側面１４ｃに、遮蔽導体１２Ｃｃが形成されている。また、本変形例では、誘電体基板１４の側面１４ｄに、遮蔽導体１２Ｃｄが形成されている。
【００７３】
本変形例では、ビア電極部２０Ｅの中心Ｐ５のＸ方向における位置は、ビア電極部２０Ｃの中心Ｐ３のＸ方向における位置とビア電極部２０Ｄの中心Ｐ４のＸ方向における位置との間である。ビア電極部２０Ｃの中心Ｐ３のＹ方向における位置は、ビア電極部２０Ａの中心Ｐ１のＹ方向における位置とビア電極部２０Ｅの中心Ｐ５のＹ方向における位置との間である。ビア電極部２０Ｄの中心Ｐ４のＹ方向における位置は、ビア電極部２０Ｂの中心Ｐ２のＹ方向における位置とビア電極部２０ＥのＹ方向における位置との間である。
【００７４】
ビア電極部２０Ａの中心Ｐ１のＸ方向における位置と、ビア電極部２０Ｃの中心Ｐ３のＸ方向における位置とは同等である。ビア電極部２０Ｂの中心Ｐ２のＸ方向における位置と、ビア電極部２０Ｄの中心Ｐ４のＸ方向における位置とは同等である。ビア電極部２０Ａの中心Ｐ１のＹ方向における位置と、ビア電極部２０Ｂの中心Ｐ２のＹ方向における位置とは同等である。ビア電極部２０Ｃの中心Ｐ３のＹ方向における位置と、ビア電極部２０Ｄの中心Ｐ４のＹ方向における位置とは同等である。
【００７５】
入出力端子２２Ａの中心のＹ方向における位置は、ビア電極部２０Ａの中心Ｐ１のＹ方向における位置と同等である。入出力端子２２Ｂの中心のＹ方向における位置は、ビア電極部２０Ｂの中心Ｐ２のＹ方向における位置と同等である。入出力端子２２Ａは、接続線路３２ａを介して第２主面側遮蔽導体１２Ｂに結合されている。また、入出力端子２２Ｂは、接続線路３２ｂを介して第２主面側遮蔽導体１２Ｂに結合されている。
【００７６】
このようなレイアウトでフィルタ１０を構成するようにしてもよい。
【００７７】
（変形例１１）
本実施形態によるフィルタの変形例１１について図２４を用いて説明する。図２４は、本変形例によるフィルタを示す平面図である。
【００７８】
ビア電極部２０Ｅの中心Ｐ５のＸ方向における位置は、ビア電極部２０Ｃの中心Ｐ３のＸ方向における位置とビア電極部２０Ｄの中心Ｐ４のＸ方向における位置との間である。ビア電極部２０Ａの中心Ｐ１のＸ方向における位置は、ビア電極部２０Ｃの中心Ｐ３のＸ方向における位置とビア電極部２０Ｅの中心Ｐ５のＸ方向における位置との間である。ビア電極部２０Ｂの中心Ｐ２のＸ方向における位置は、ビア電極部２０Ｄの中心Ｐ４のＸ方向における位置とビア電極部２０Ｅの中心Ｐ５のＸ方向における位置との間である。ビア電極部２０Ｃの中心Ｐ３のＹ方向における位置は、ビア電極部２０Ａの中心Ｐ１のＹ方向における位置とビア電極部２０Ｅの中心Ｐ５のＹ方向における位置との間である。ビア電極部２０Ｄの中心Ｐ４のＹ方向における位置は、ビア電極部２０Ｂの中心Ｐ２のＹ方向における位置とビア電極部２０Ｅの中心Ｐ５のＹ方向における位置との間である。
【００７９】
このようなレイアウトでフィルタ１０を構成するようにしてもよい。
【００８０】
（変形例１２）
本実施形態によるフィルタの変形例１２について図２５を用いて説明する。図２５は、本変形例によるフィルタを示す平面図である。
【００８１】
本変形例では、誘電体基板１４内に、第１主面側遮蔽導体１２Ａに対向するキャパシタ電極１８Ｆが更に形成されている。また、本変形例では、誘電体基板１４内に、ビア電極部２０Ｆが更に形成されている。また、本変形例では、キャパシタ電極１８Ｆとビア電極部２０Ｆとにより、構造体１６Ｆが構成されている。本変形例によるフィルタ１０には、構造体１６Ｆを含む共振器１１Ｆが更に備えられている。
【００８２】
ビア電極部２０Ｅの中心Ｐ５のＸ方向における位置と、ビア電極部２０Ｃの中心Ｐ３のＸ方向における位置と、ビア電極部２０Ａの中心Ｐ１のＸ方向における位置とは、同等である。ビア電極部２０Ｆの中心Ｐ６のＸ方向における位置と、ビア電極部２０Ｄの中心Ｐ４のＸ方向における位置と、ビア電極部２０Ｂの中心Ｐ２のＸ方向における位置とは、同等である。ビア電極部２０Ａの中心Ｐ１のＹ方向における位置と、ビア電極部２０Ｂの中心Ｐ２のＹ方向における位置とは、同等である。ビア電極部２０Ｃの中心Ｐ３のＹ方向における位置と、ビア電極部２０Ｄの中心Ｐ４のＹ方向における位置とは、同等である。ビア電極部２０Ｅの中心Ｐ５のＹ方向における位置と、ビア電極部２０Ｆの中心Ｐ６のＹ方向における位置とは、同等である。
【００８３】
このようなレイアウトでフィルタ１０を構成するようにしてもよい。
【００８４】
（変形例１３）
本実施形態によるフィルタの変形例１３について図２６を用いて説明する。図２６は、本変形例によるフィルタを示す平面図である。
【００８５】
本変形例では、ビア電極部２０Ｅが、ビア電極部２０Ａ及びビア電極部２０Ｃに対して、誘電体基板１４のＸ方向における中心に向かってずらされている。即ち、本変形例では、ビア電極部２０Ｅの中心Ｐ５のＸ方向における位置は、ビア電極部２０Ａの中心Ｐ１のＸ方向における位置と、ビア電極部２０Ｆの中心Ｐ６のＸ方向における位置との間である。
【００８６】
また、本変形例では、ビア電極部２０Ｆが、ビア電極部２０Ｂ及びビア電極部２０Ｄに対して、誘電体基板１４のＸ方向における中心に向かってずらされている。即ち、本変形例では、ビア電極部２０Ｆの中心Ｐ６のＸ方向における位置は、ビア電極部２０Ｅの中心Ｐ５のＸ方向における位置と、ビア電極部２０Ｂの中心Ｐ２のＸ方向における位置との間である。
【００８７】
ビア電極部２０Ｃの中心Ｐ３のＸ方向における位置と、ビア電極部２０Ａの中心Ｐ１のＸ方向における位置とは、同等である。ビア電極部２０Ｄの中心Ｐ４のＸ方向における位置と、ビア電極部２０Ｂの中心Ｐ２のＸ方向における位置とは、同等である。ビア電極部２０Ａの中心Ｐ１のＹ方向における位置と、ビア電極部２０Ｂの中心Ｐ２のＹ方向における位置とは、同等である。ビア電極部２０Ｃの中心Ｐ３のＹ方向における位置と、ビア電極部２０Ｄの中心Ｐ４のＹ方向における位置とは、同等である。ビア電極部２０Ｅの中心Ｐ５のＹ方向における位置と、ビア電極部２０Ｆの中心Ｐ６のＹ方向における位置とは、同等である。
【００８８】
このようなレイアウトでフィルタ１０を構成するようにしてもよい。
【００８９】
（変形例１４）
本実施形態によるフィルタの変形例１４について図２７を用いて説明する。図２７は、本変形例によるフィルタを示す平面図である。
【００９０】
本変形例では、ビア電極部２０Ｅが、ビア電極部２０Ａ及びビア電極部２０Ｃに対して、誘電体基板１４のＸ方向における中心から遠ざかる方向に向かってずらされている。即ち、本変形例では、ビア電極部２０Ａの中心Ｐ１のＸ方向における位置は、ビア電極部２０Ｅの中心Ｐ５のＸ方向における位置と、ビア電極部２０Ｂの中心Ｐ２のＸ方向における位置との間である。
【００９１】
また、本変形例では、ビア電極部２０Ｆが、ビア電極部２０Ｂ及びビア電極部２０Ｄに対して、誘電体基板１４のＸ方向における中心から遠ざかる方向に向かってずらされている。即ち、本変形例では、ビア電極部２０Ｂの中心Ｐ２のＸ方向における位置は、ビア電極部２０Ｆの中心Ｐ６のＸ方向における位置と、ビア電極部２０Ａの中心Ｐ１のＸ方向における位置との間である。
【００９２】
ビア電極部２０Ｃの中心Ｐ３のＸ方向における位置と、ビア電極部２０Ａの中心Ｐ１のＸ方向における位置とは、同等である。ビア電極部２０Ｄの中心Ｐ４のＸ方向における位置と、ビア電極部２０Ｂの中心Ｐ２のＸ方向における位置とは、同等である。ビア電極部２０Ａの中心Ｐ１のＹ方向における位置と、ビア電極部２０Ｂの中心Ｐ２のＹ方向における位置とは、同等である。ビア電極部２０Ｃの中心Ｐ３のＹ方向における位置と、ビア電極部２０Ｄの中心Ｐ４のＹ方向における位置とは、同等である。ビア電極部２０Ｅの中心Ｐ５のＹ方向における位置と、ビア電極部２０Ｆの中心Ｐ６のＹ方向における位置とは、同等である。
【００９３】
このようなレイアウトでフィルタ１０を構成するようにしてもよい。
【００９４】
［第２実施形態］
第２実施形態によるフィルタについて図面を用いて説明する。図２８は、本実施形態によるフィルタを示す斜視図である。図２９Ａは、本実施形態によるフィルタを示す平面図である。図２９Ｂは、本実施形態によるフィルタを示す断面図である。図１〜図２７に示す第１実施形態によるフィルタと同一の構成要素には、同一の符号を付して説明を省略又は簡潔にする。
【００９５】
本実施形態によるフィルタ１０には、ビア電極部２０Ａ〜２０Ｄの他端にそれぞれ接続されたキャパシタ電極（第２キャパシタ電極、第２ストリップ線路）１９Ａ〜１９Ｄが備えられている。キャパシタ電極１９Ａ〜１９Ｄは、第２主面側遮蔽導体１２Ｂに対向している。キャパシタ電極一般について説明する際には、符号１９を用い、個々のキャパシタ電極について説明する際には、符号１９Ａ〜１９Ｄを用いる。
【００９６】
本実施形態では、ビア電極部２０が第１主面側遮蔽導体１２Ａにも第２主面側遮蔽導体１２Ｂにも導通していない。ビア電極部２０に接続されたキャパシタ電極１８と第１主面側遮蔽導体１２Ａとの間には、静電容量（開放端容量）が存在する。また、ビア電極部２０に接続されたキャパシタ電極１９と第２主面側遮蔽導体１２Ｂとの間にも、静電容量が存在する。ビア電極部２０は、キャパシタ電極１８及びキャパシタ電極１９とともに、λ／２共振器を構成する。共振器１１は、両端開放型のλ／２共振器として動作し得る。
【００９７】
このように、ビア電極部２０Ａ〜２０Ｄの他端にそれぞれ接続されたキャパシタ電極１９Ａ〜１９Ｄが更に備えられていてもよい。本実施形態によれば、共振器１１が両端開放型のλ／２共振器として動作し得るフィルタ１０を得ることができる。
【００９８】
［第３実施形態］
第３実施形態によるフィルタについて図面を用いて説明する。図３０は、本実施形態によるフィルタを示す断面図である。図１〜図２９に示す第１又は第２実施形態によるフィルタと同一の構成要素には、同一の符号を付して説明を省略又は簡潔にする。
【００９９】
本実施形態では、誘電体層（第１誘電体層）１５Ａと、誘電体層１５Ａより比誘電率が高い誘電体層（第２誘電体層）１５Ｂとが、誘電体基板１４に備えられている。第１主面側遮蔽導体１２Ａとキャパシタ電極１８Ａとの間に誘電体層１５Ａの一部が挟まれている。ビア電極部２０は、少なくとも誘電体層１５Ｂ内に形成されている。
【０１００】
本実施形態によれば、比誘電率が比較的低い誘電体層１５Ａの一部が第１主面側遮蔽導体１２Ａとキャパシタ電極１８との間に挟まれているため、以下のようになる。即ち、本実施形態によれば、キャパシタ電極１８と第１主面側遮蔽導体１２Ａとの間の距離がある程度ばらついたとしても、キャパシタ電極１８と第１主面側遮蔽導体１２Ａとの間の静電容量の変化は小さくて済む。
【０１０１】
また、本実施形態によれば、比誘電率が比較的低い誘電体層１５Ａの一部が第１主面側遮蔽導体１２Ａとキャパシタ電極１８との間に挟まれているため、以下のようになる。即ち、本実施形態によれば、キャパシタ電極１８の寸法がある程度ばらついたとしても、キャパシタ電極１８と第１主面側遮蔽導体１２Ａとの間の静電容量の変化は小さくて済む。このため、本実施形態によれば、電気的特性のばらつきを低減することができる。
【０１０２】
また、本実施形態によれば、キャパシタ電極１８と第１主面側遮蔽導体１２Ａとの間に比誘電率が比較的低い誘電体層１５Ａが存在しているため、キャパシタ電極１８の面積を大きく確保することができる。このため、本実施形態によれば、レイアウトの自由度を高くすることができる。
【０１０３】
しかも、本実施形態によれば、ビア電極部２０が比誘電率の比較的高い誘電体層１５Ｂに少なくとも埋め込まれているため、当該部分において波長短縮効果が得られる。このため、本実施形態によれば、伝送線路を短縮することができ、共振器１１の小型化に寄与することができる。また、波長短縮効果によってビア電極部２０の長さを短くすることが可能となるため、共振器１１のサイズを変更しない場合には、キャパシタ電極１８と第１主面側遮蔽導体１２Ａとの間隔を大きくすることができる。キャパシタ電極１８と第１主面側遮蔽導体１２Ａとの間隔を大きくすると、キャパシタ電極１８と第１主面側遮蔽導体１２Ａとの間における静電容量を小さくすることができるため、Ｑ値の向上に寄与することができる。
【０１０４】
［第４実施形態］
第４実施形態によるフィルタについて図面を用いて説明する。図３１は、本実施形態によるフィルタを示す斜視図である。図３２は、本実施形態によるフィルタを示す平面図である。図１〜図３０に示す第１〜第３実施形態によるフィルタと同一の構成要素には、同一の符号を付して説明を省略又は簡潔にする。
【０１０５】
本実施形態では、ビア電極部２０Ａとビア電極部２０Ｂとの間の箇所に、複数の結合調整ビア電極４２が備えられている。複数の結合調整ビア電極４２は、Ｙ方向に沿うように配列されている。結合調整ビア電極４２の一端は、第１主面側遮蔽導体１２Ａに接続されている。結合調整ビア電極４２の他端は、第２主面側遮蔽導体１２Ｂに接続されている。
【０１０６】
本実施形態によれば、ビア電極部２０Ａとビア電極部２０Ｂとの間の箇所に、複数の結合調整ビア電極４２が備えられているため、共振器１１Ａと共振器１１Ｂとの間の結合を調整することができる。このため、本実施形態によれば、より特性の良好なフィルタ１０を得ることができる。
【０１０７】
（変形例１）
本実施形態によるフィルタの変形例１について図３３を用いて説明する。図３３は、本変形例によるフィルタを示す平面図である。図３３には、５つの共振器１１Ａ〜１１Ｅが備えられている場合の例が示されている。図３３〜図３８においては、側面１４ｃ及び側面１４ｄの法線方向に沿う方向、より具体的には、側面１４ｃ、１４ｄの法線方向を、Ｙ方向とする。また、図３３〜図３８においては、側面１４ｅ及び側面１４ｆの法線方向に沿う方向、より具体的には、側面１４ｅ、１４ｆの法線方向を、Ｘ方向とする。
【０１０８】
本変形例では、誘電体基板１４の側面１４ｅに、遮蔽導体１２Ｃａと、入出力端子２２Ａとが形成されている。本変形例では、誘電体基板１４の側面１４ｆに、遮蔽導体１２Ｃｂと、入出力端子２２Ｂとが形成されている。本変形例では、誘電体基板１４の側面１４ｃに、遮蔽導体１２Ｃｃが形成されている。また、本変形例では、誘電体基板１４の側面１４ｄに、遮蔽導体１２Ｃｄが形成されている。
【０１０９】
本変形例では、ビア電極部２０Ａとビア電極部２０Ｂとの間の箇所、及び、ビア電極部２０Ｃとビア電極部２０Ｄとの間の箇所に複数の結合調整ビア電極４２が備えられている。複数の結合調整ビア電極４２は、Ｙ方向に沿うように配列されている。
【０１１０】
このように、本変形例では、ビア電極部２０Ａとビア電極部２０Ｂとの間の箇所、及び、ビア電極部２０Ｃとビア電極部２０Ｄとの間の箇所に、複数の結合調整ビア電極４２が備えられている。本変形例では、このように構成されているため、共振器１１Ａと共振器１１Ｂとの間の結合を調整することができるとともに、共振器１１Ｃと共振器１１Ｄとの間の結合を調整することができる。このため、本変形例によれば、特性の良好なフィルタ１０を得ることができる。
【０１１１】
（変形例２）
本実施形態によるフィルタの変形例２について図３４を用いて説明する。図３４は、本変形例によるフィルタを示す平面図である。図３４には、６つの共振器１１Ａ〜１１Ｆが備えられている場合の例が示されている。
【０１１２】
本変形例では、ビア電極部２０Ａとビア電極部２０Ｂとの間の箇所、及び、ビア電極部２０Ｃとビア電極部２０Ｄとの間の箇所に複数の結合調整ビア電極４２が備えられている。ビア電極部２０Ｅとビア電極部２０Ｆとの間の箇所には、結合調整ビア電極４２は備えられていない。
【０１１３】
このように、本変形例においても、ビア電極部２０Ａとビア電極部２０Ｂとの間の箇所、及び、ビア電極部２０Ｃとビア電極部２０Ｄとの間の箇所に、複数の結合調整ビア電極４２が備えられている。このように構成されているため、本変形例においても、共振器１１Ａと共振器１１Ｂとの間の結合を調整することができるとともに、共振器１１Ｃと共振器１１Ｄとの間の結合を調整することができる。このため、本変形例においても、特性の良好なフィルタ１０を得ることができる。
【０１１４】
（変形例３）
本実施形態によるフィルタの変形例３について図３５を用いて説明する。図３５は、本変形例によるフィルタを示す平面図である。図３５には、５つの共振器１１Ａ〜１１Ｅが備えられている場合の例が示されている。
【０１１５】
本変形例では、ビア電極部２０Ａとビア電極部２０Ｂとの間の箇所、及び、ビア電極部２０Ｃとビア電極部２０Ｄとの間の箇所に複数の結合調整ビア電極４２が備えられている。ビア電極部２０Ａとビア電極部２０Ｂとの間の箇所に位置する結合調整ビア電極４２の数と、ビア電極部２０Ｃとビア電極部２０Ｄとの間の箇所に位置する結合調整ビア電極４２の数とは、互いに異なっている。より具体的には、ビア電極部２０Ａとビア電極部２０Ｂとの間の箇所に位置する結合調整ビア電極４２の数は、ビア電極部２０Ｃとビア電極部２０Ｄとの間の箇所に位置する結合調整ビア電極４２の数より少なく設定されている。
【０１１６】
このように、本変形例では、ビア電極部２０Ａとビア電極部２０Ｂとの間の箇所に位置する結合調整ビア電極４２の数と、ビア電極部２０Ｃとビア電極部２０Ｄとの間の箇所に位置する結合調整ビア電極４２の数とが、互いに異なっている。このため、本変形例によれば、共振器１１Ａと共振器１１Ｂとの間の結合をより良好に調整することができるとともに、共振器１１Ｃと共振器１１Ｄとの間の結合をより良好に調整することができる。このため、本変形例によれば、より特性の良好なフィルタ１０を得ることができる。
【０１１７】
（変形例４）
本実施形態によるフィルタの変形例４について図３６を用いて説明する。図３６は、本変形例によるフィルタを示す平面図である。図３６には、６つの共振器１１Ａ〜１１Ｆが備えられている場合の例が示されている。
【０１１８】
本変形例では、ビア電極部２０Ａとビア電極部２０Ｂとの間の箇所、及び、ビア電極部２０Ｃとビア電極部２０Ｄとの間の箇所に複数の結合調整ビア電極４２が備えられている。ビア電極部２０Ａとビア電極部２０Ｂとの間の箇所に位置する結合調整ビア電極４２の数と、ビア電極部２０Ｃとビア電極部２０Ｄとの間の箇所に位置する結合調整ビア電極４２の数とは、互いに異なっている。より具体的には、ビア電極部２０Ａとビア電極部２０Ｂとの間の箇所に位置する結合調整ビア電極４２の数は、ビア電極部２０Ｃとビア電極部２０Ｄとの間の箇所に位置する結合調整ビア電極４２の数より少なく設定されている。なお、ビア電極部２０Ｅとビア電極部２０Ｆとの間の箇所には、結合調整ビア電極４２は備えられていない。
【０１１９】
このように、本変形例においても、ビア電極部２０Ａとビア電極部２０Ｂとの間の箇所に位置する結合調整ビア電極４２の数と、ビア電極部２０Ｃとビア電極部２０Ｄとの間の箇所に位置する結合調整ビア電極４２の数とが、互いに異なっている。このため、本変形例においても、共振器１１Ａと共振器１１Ｂとの間の結合をより良好に調整することができるとともに、共振器１１Ｃと共振器１１Ｄとの間の結合をより良好に調整することができる。このため、本変形例においても、より特性の良好なフィルタ１０を得ることができる。
【０１２０】
（変形例５）
本実施形態によるフィルタの変形例５について図３７を用いて説明する。図３７は、本変形例によるフィルタを示す平面図である。図３７には、５つの共振器１１Ａ〜１１Ｅが備えられている場合の例が示されている。
【０１２１】
本変形例では、ビア電極部２０Ａとビア電極部２０Ｂとの間の箇所、及び、ビア電極部２０Ｃとビア電極部２０Ｄとの間の箇所に複数の結合調整ビア電極４２が備えられている。ビア電極部２０Ｃとビア電極部２０Ｄとの間の箇所に位置する結合調整ビア電極４２の数は、ビア電極部２０Ａとビア電極部２０Ｂとの間の箇所に位置する結合調整ビア電極４２の数より少なく設定されている。
【０１２２】
このように、ビア電極部２０Ｃとビア電極部２０Ｄとの間の箇所に位置する結合調整ビア電極４２の数を、ビア電極部２０Ａとビア電極部２０Ｂとの間の箇所に位置する結合調整ビア電極４２の数より少なく設定するようにしてもよい。
【０１２３】
（変形例６）
本実施形態によるフィルタの変形例６について図３８を用いて説明する。図３８は、本変形例によるフィルタを示す平面図である。図３８には、６つの共振器１１Ａ〜１１Ｆが備えられている場合の例が示されている。
【０１２４】
本変形例では、ビア電極部２０Ａとビア電極部２０Ｂとの間の箇所、及び、ビア電極部２０Ｃとビア電極部２０Ｄとの間の箇所に複数の結合調整ビア電極４２が備えられている。ビア電極部２０Ｃとビア電極部２０Ｄとの間の箇所に位置する結合調整ビア電極４２の数は、ビア電極部２０Ａとビア電極部２０Ｂとの間の箇所に位置する結合調整ビア電極４２の数より少なく設定されている。なお、ビア電極部２０Ｅとビア電極部２０Ｆとの間の箇所には、結合調整ビア電極４２は備えられていない。
【０１２５】
このように、ビア電極部２０Ｃとビア電極部２０Ｄとの間の箇所に位置する結合調整ビア電極４２の数を、ビア電極部２０Ａとビア電極部２０Ｂとの間の箇所に位置する結合調整ビア電極４２の数より少なく設定するようにしてもよい。
【０１２６】
［第５実施形態］
第５実施形態によるフィルタについて図面を用いて説明する。図３９は、本実施形態によるフィルタを示す平面図である。図１〜図３８に示す第１〜第４実施形態によるフィルタと同一の構成要素には、同一の符号を付して説明を省略又は簡潔にする。
【０１２７】
本実施形態では、ビア電極部２０Ａとビア電極部２０Ｂとの間の箇所において、第２主面側遮蔽導体１２Ｂにスリット４４が形成されている。スリット４４は、Ｙ方向に沿うように形成されている。
【０１２８】
本実施形態では、ビア電極部２０Ａとビア電極部２０Ｂとの間の箇所において、第２主面側遮蔽導体１２Ｂにスリット４４が形成されているため、共振器１１Ａと共振器１１Ｂとの結合をスリット４４によって調整することができる。
【０１２９】
［第６実施形態］
第６実施形態によるフィルタについて図４０を用いて説明する。図４０は、本実施形態によるフィルタを示す斜視図である。図４０には、４つの共振器１１Ａ〜１１Ｄが備えられている場合の例が示されている。図１〜図３９に示す第１〜第５実施形態によるフィルタと同一の構成要素には、同一の符号を付して説明を省略又は簡潔にする。
【０１３０】
ビア電極部２０Ａの中心Ｐ１及びビア電極部２０Ｂの中心Ｐ２のＹ方向における位置は、誘電体基板１４のＹ方向における中心に対して、側面１４ｅ側に位置している。ビア電極部２０Ｃの中心Ｐ３及びビア電極部２０Ｄの中心Ｐ４のＹ方向における位置は、誘電体基板１４のＹ方向における中心に対して、側面１４ｆ側に位置している。入出力端子２２Ａの中心及び入出力端子２２Ｂの中心のＹ方向における位置は、誘電体基板１４のＹ方向における中心に対して、側面１４ｅ側に位置している。より具体的には、入出力端子２２Ａの中心及び入出力端子２２Ｂの中心のＹ方向における位置は、ビア電極部２０Ａの中心Ｐ１及びビア電極部２０Ｂの中心Ｐ２のＹ方向における位置と同等に設定されている。
【０１３１】
このように、本実施形態では、入出力端子２２Ａの中心のＹ方向における位置が、誘電体基板１４のＹ方向における中心に対して、側面１４ｅ側に位置している。このように、入出力端子２２Ａの中心のＹ方向における位置を適宜設定することにより、入出力端子２２Ａと共振器１１Ａとの結合を適宜調整することができ、ひいては外部Ｑを調整することができる。また、本実施形態では、入出力端子２２Ｂの中心のＹ方向における位置が、誘電体基板１４のＹ方向における中心に対して、側面１４ｅ側に位置している。このように、入出力端子２２Ｂの中心のＹ方向における位置を適宜設定することにより、入出力端子２２Ｂと共振器１１Ｂとの結合を適宜調整することができ、ひいては外部Ｑを調整することができる。従って、本実施形態によれば、特性の良好なフィルタ１０を提供することができる。
【０１３２】
（変形例１）
本実施形態の変形例１によるフィルタについて図４１を用いて説明する。図４１は、本変形例によるフィルタを示す斜視図である。図４１には、３つの共振器１１Ａ〜１１Ｃが備えられている場合の例が示されている。
【０１３３】
本変形例においても、入出力端子２２Ａの中心及び入出力端子２２Ｂの中心のＹ方向における位置が、誘電体基板１４のＹ方向における中心に対して、側面１４ｅ側に位置している。より具体的には、入出力端子２２Ａの中心及び入出力端子２２Ｂの中心のＹ方向における位置が、ビア電極部２０Ａの中心Ｐ１及びビア電極部２０Ｂの中心Ｐ２のＹ方向における位置と同等に設定されている。
【０１３４】
本変形例においても、入出力端子２２Ａの中心のＹ方向における位置が、誘電体基板１４のＹ方向における中心に対して、側面１４ｅ側に位置している。このように、入出力端子２２Ａの中心のＹ方向における位置を適宜設定することにより、入出力端子２２Ａと共振器１１Ａとの結合を適宜調整することができ、ひいては外部Ｑを調整することができる。また、本変形例においても、入出力端子２２Ｂの中心のＹ方向における位置が、誘電体基板１４のＹ方向における中心に対して、側面１４ｅ側に位置している。このように、入出力端子２２Ｂの中心のＹ方向における位置を適宜設定することにより、入出力端子２２Ｂと共振器１１Ｂとの結合を適宜調整することができ、ひいては外部Ｑを調整することができる。従って、本変形例においても、特性の良好なフィルタ１０を提供することができる。
【０１３５】
（変形例２）
本実施形態の変形例２によるフィルタについて図４２及び図４３を用いて説明する。図４２は、本変形例によるフィルタを示す斜視図である。図４３は、本変形例によるフィルタを示す平面図である。
【０１３６】
本変形例では、第２主面側遮蔽導体１２Ｂのうちの入出力端子２２Ａ側の部分に、スリット４６Ａが形成されている。スリット４６Ａは、Ｘ方向に沿うように形成されている。また、本変形例では、第２主面側遮蔽導体１２Ｂのうちの入出力端子２２Ｂ側の部分に、スリット４６Ｂが形成されている。スリット４６Ｂは、Ｘ方向に沿うように形成されている。
【０１３７】
入出力端子２２Ａの中心のＹ方向における位置は、ビア電極部２０Ａの中心Ｐ１のＹ方向における位置と、スリット４６Ａの中心のＹ方向における位置との間である。入出力端子２２Ｂの中心のＹ方向における位置は、ビア電極部２０Ｂの中心Ｐ２のＹ方向における位置と、スリット４６Ｂの中心のＹ方向における位置との間である。
【０１３８】
スリット４６Ａの中心のＹ方向における位置は、入出力端子２２Ａの中心のＹ方向における位置と、ビア電極部２０Ｃの中心Ｐ３のＹ方向における位置との間である。スリット４６Ｂの中心のＹ方向における位置は、入出力端子２２Ｂの中心のＹ方向における位置と、ビア電極部２０Ｄの中心Ｐ４のＹ方向における位置との間である。
【０１３９】
このように、本変形例では、スリット４６Ａとビア電極部２０Ａとの間の箇所に入出力端子２２Ａが接続されている。このように、スリット４６Ａを適宜形成することにより、入出力端子２２Ａと共振器１１Ａとの結合を適宜調整することができ、ひいては外部Ｑを調整することができる。また、本変形例では、スリット４６Ｂとビア電極部２０Ｂとの間の箇所に入出力端子２２Ｂが接続されている。このように、スリット４６Ｂを適宜形成することにより、入出力端子２２Ｂと共振器１１Ｂとの結合を適宜調整することができ、ひいては外部Ｑを調整することができる。従って、本変形例においても、特性の良好なフィルタ１０を提供することができる。
【０１４０】
（変形例３）
本実施形態の変形例３によるフィルタについて図４４〜図４５Ｂを用いて説明する。図４４は、本変形例によるフィルタを示す斜視図である。図４５Ａは、本変形例によるフィルタを示す平面図である。図４５Ｂは、本変形例によるフィルタを示す断面図である。
【０１４１】
本変形例では、入出力端子２２Ａに接続されたキャパシタ電極パターン４８Ａが、第２主面側遮蔽導体１２Ｂのうちの入出力端子２２Ａ側の部分に対向している。換言すれば、本変形例では、入出力端子２２Ａがキャパシタ電極パターン４８Ａを介して第２主面側遮蔽導体１２Ｂに容量結合している。また、本変形例では、入出力端子２２Ｂに接続されたキャパシタ電極パターン４８Ｂが、第２主面側遮蔽導体１２Ｂのうちの入出力端子２２Ｂ側の部分に対向している。換言すれば、本変形例では、入出力端子２２Ｂがキャパシタ電極パターン４８Ｂを介して第２主面側遮蔽導体１２Ｂに容量結合している。
【０１４２】
キャパシタ電極パターン４８Ａの中心のＹ方向における位置は、ビア電極部２０Ａの中心Ｐ１のＹ方向における位置と、ビア電極部２０Ｃの中心Ｐ３のＹ方向における位置との間である。キャパシタ電極パターン４８Ｂの中心のＹ方向における位置は、ビア電極部２０Ｂの中心Ｐ２のＹ方向における位置と、ビア電極部２０Ｄの中心Ｐ４のＹ方向における位置との間である。
【０１４３】
このように、本変形例では、入出力端子２２Ａがキャパシタ電極パターン４８Ａを介して第２主面側遮蔽導体１２Ｂに容量結合しており、入出力端子２２Ｂがキャパシタ電極パターン４８Ｂを介して第２主面側遮蔽導体１２Ｂに容量結合している。本変形例によれば、これらの結合容量を適宜設定することにより外部Ｑを調整することができるため、特性の良好なフィルタ１０を提供することができる。
【０１４４】
（変形例４）
本実施形態の変形例４によるフィルタについて図４６及び図４７を用いて説明する。図４６は、本変形例によるフィルタを示す斜視図である。図４７は、本変形例によるフィルタを示す平面図である。
【０１４５】
本変形例では、入出力端子２２Ａに接続されたキャパシタ電極パターン４８Ａの一部と、ビア電極部２０Ａに接続されたキャパシタ電極パターン５０Ａの一部とが対向している。換言すれば、本変形例では、入出力端子２２Ａとビア電極部２０Ａとが、キャパシタ電極パターン４８Ａ、５０Ａを介して容量結合している。また、本変形例では、入出力端子２２Ｂに接続されたキャパシタ電極パターン４８Ｂの一部と、ビア電極部２０Ｂに接続されたキャパシタ電極パターン５０Ｂの一部とが対向している。換言すれば、本変形例では、入出力端子２２Ｂとビア電極部２０Ｂとが、キャパシタ電極パターン４８Ｂ、５０Ｂを介して容量結合している。
【０１４６】
キャパシタ電極パターン４８Ａの中心のＹ方向における位置は、ビア電極部２０Ａの中心Ｐ１のＹ方向における位置と、ビア電極部２０Ｃの中心Ｐ３のＹ方向における位置との間である。キャパシタ電極パターン４８Ｂの中心のＹ方向における位置は、ビア電極部２０Ｂの中心Ｐ２のＹ方向における位置と、ビア電極部２０Ｄの中心Ｐ４のＹ方向における位置との間である。
【０１４７】
このように、本変形例では、入出力端子２２Ａとビア電極部２０Ａとが、キャパシタ電極パターン４８Ａ、５０Ａを介して容量結合している。また、本変形例では、入出力端子２２Ｂとビア電極部２０Ｂとが、キャパシタ電極パターン４８Ｂ、５０Ｂを介して容量結合している。本変形例によれば、これらの結合容量を適宜設定することにより外部Ｑを調整することができるため、特性の良好なフィルタ１０を提供することができる。
【０１４８】
（変形例５）
本実施形態の変形例５によるフィルタについて図４８〜図４９Ｂを用いて説明する。図４８は、本変形例によるフィルタを示す斜視図である。図４９Ａは、本変形例によるフィルタを示す平面図である。図４９Ｂは、本変形例によるフィルタを示す断面図である。
【０１４９】
本変形例では、入出力端子２２Ａが入出力パターン５２Ａを介してビア電極部２０Ａに導通している。より具体的には、ビア電極部２０Ａに接続された電極５４Ａに、入出力端子２２Ａが接続線路３２ａを介して接続されている。また、本変形例では、入出力端子２２Ｂが入出力パターン５２Ｂを介してビア電極部２０Ｂに導通している。より具体的には、ビア電極部２０Ｂに接続された電極５４Ｂに、入出力端子２２Ｂが接続線路３２ｂを介して接続されている。
【０１５０】
このように、本変形例では、入出力端子２２Ａが入出力パターン５２Ａを介してビア電極部２０Ａに導通しており、入出力端子２２Ｂが入出力パターン５２Ｂを介してビア電極部２０Ｂに導通している。本変形例によれば、Ｚ方向、即ち、ビア電極部２０Ａ、２０Ｂの長手方向における入出力パターン５２Ａ、５２Ｂの位置を適宜設定することにより、外部Ｑを適宜調整することができる。
【０１５１】
（変形例６）
本実施形態の変形例６によるフィルタについて図５０〜図５１Ｂを用いて説明する。図５０は、本変形例によるフィルタを示す斜視図である。図５１Ａは、本変形例によるフィルタを示す平面図である。図５１Ｂは、本変形例によるフィルタを示す断面図である。
【０１５２】
本変形例では、入出力端子２２Ａが接続線路３２ａを介してキャパシタ電極１８Ａに接続されている。また、本変形例では、入出力端子２２Ｂが接続線路３２ｂを介してキャパシタ電極１８Ｂに接続されている。
【０１５３】
このように、入出力端子２２Ａを接続線路３２ａを介してキャパシタ電極１８Ａに接続し、入出力端子２２Ｂを接続線路３２ｂを介してキャパシタ電極１８Ｂに接続するようにしてもよい。本変形例においても、良好な外部Ｑを有するフィルタ１０を得ることができる。
【０１５４】
［第７実施形態］
第７実施形態によるフィルタについて図５２及び図５３を用いて説明する。図５２は、本実施形態によるフィルタを示す斜視図である。図５３は、本実施形態によるフィルタを示す平面図である。図１〜図５１に示す第１〜第６実施形態によるフィルタと同一の構成要素には、同一の符号を付して説明を省略又は簡潔にする。
【０１５５】
誘電体基板１４内には、結合容量電極５６Ａと、結合容量電極５６Ｂと、結合容量電極５６Ｃと、結合容量電極５６Ｄとが更に形成されている。結合容量電極５６Ａは、共振器１１Ａに備えられている。結合容量電極５６Ｂは、共振器１１Ｂに備えられている。結合容量電極５６Ｃは、共振器１１Ｃに備えられている。結合容量電極５６Ｄは、共振器１１Ｄに備えられている。結合容量電極５６Ａと結合容量電極５６Ｂと結合容量電極５６Ｃと結合容量電極５６Ｄとは、同じ層に形成されている。換言すれば、結合容量電極５６Ａと結合容量電極５６Ｂと結合容量電極５６Ｃと結合容量電極５６Ｄとは、同一のセラミックスシート（図示せず）上に形成されている。
【０１５６】
結合容量電極５６Ａは、ビア電極部２０Ａに接続されている。結合容量電極５６Ａの上面は、ビア電極部２０Ａのうちの上側の部分によって、第２主面側遮蔽導体１２Ｂに接続されている。結合容量電極５６Ａの下面は、ビア電極部２０Ａのうちの下側の部分によって、キャパシタ電極１８Ａに接続されている。
【０１５７】
結合容量電極５６Ｂは、ビア電極部２０Ｂに接続されている。結合容量電極５６Ｂの上面は、ビア電極部２０Ｂのうちの上側の部分によって、第２主面側遮蔽導体１２Ｂに接続されている。結合容量電極５６Ｂの下面は、ビア電極部２０Ｂのうちの下側の部分によって、キャパシタ電極１８Ｂに接続されている。
【０１５８】
結合容量電極５６Ｃは、ビア電極部２０Ｃに接続されている。結合容量電極５６Ｃの上面は、ビア電極部２０Ｃのうちの上側の部分によって、第２主面側遮蔽導体１２Ｂに接続されている。結合容量電極５６Ｃの下面は、ビア電極部２０Ｃのうちの下側の部分によって、キャパシタ電極１８Ｃに接続されている。
【０１５９】
結合容量電極５６Ｄは、ビア電極部２０Ｄに接続されている。結合容量電極５６Ｄの上面は、ビア電極部２０Ｄのうちの上側の部分によって、第２主面側遮蔽導体１２Ｂに接続されている。結合容量電極５６Ｄの下面は、ビア電極部２０Ｄのうちの下側の部分によって、キャパシタ電極１８Ｄに接続されている。
【０１６０】
結合容量電極５６Ａは、複数の電極５８ａを含む櫛形電極６０Ａを有している。電極５８ａの長手方向は、Ｙ方向である。櫛形電極６０Ａは、結合容量電極５６Ａのうちの結合容量電極５６Ｃ側に位置している。
【０１６１】
結合容量電極５６Ｂは、複数の電極５８ｂを含む櫛形電極６０Ｂを有している。電極５８ｂの長手方向は、Ｙ方向である。櫛形電極６０Ｂは、結合容量電極５６Ｂのうちの結合容量電極５６Ｄ側に位置している。
【０１６２】
結合容量電極５６Ｃは、複数の電極５８ｃを含む櫛形電極６０Ｃを有している。電極５８ｃの長手方向は、Ｙ方向である。櫛形電極６０Ｃは、結合容量電極５６Ｃのうちの結合容量電極５６Ａ側に位置している。
【０１６３】
結合容量電極５６Ｄは、複数の電極５８ｄを含む櫛形電極６０Ｄを有している。電極５８ｄの長手方向は、Ｙ方向である。櫛形電極６０Ｄは、結合容量電極５６Ｄのうちの結合容量電極５６Ｂ側に位置している。
【０１６４】
結合容量電極５６Ｃは、複数の電極５８ｅを含む櫛形電極６０Ｅを有している。電極５８ｅの長手方向は、Ｘ方向である。櫛形電極６０Ｅは、結合容量電極５６Ｃのうちの結合容量電極５６Ｄ側に位置している。
【０１６５】
結合容量電極５６Ｄは、複数の電極５８ｆを含む櫛形電極６０Ｆを有している。電極５８ｆの長手方向は、Ｘ方向である。櫛形電極６０Ｆは、結合容量電極５６Ｄのうちの結合容量電極５６Ｃ側に位置している。
【０１６６】
櫛形電極６０Ａを構成する複数の電極５８ａと、櫛形電極６０Ｃを構成する複数の電極５８ｃとは、交互に隣り合うように配置されている。電極５８ａと電極５８ｃとが交互に隣り合うように配置されているため、櫛形電極６０Ａと櫛形電極６０Ｃとが互いに対向している部分の長さが十分に大きく確保される。このため、結合容量電極５６Ａと結合容量電極５６Ｃとの間で十分な静電容量が確保される。
【０１６７】
櫛形電極６０Ｂを構成する複数の電極５８ｂと、櫛形電極６０Ｄを構成する複数の電極５８ｄとは、交互に隣り合うように配置されている。電極５８ｂと電極５８ｄとが交互に隣り合うように配置されているため、櫛形電極６０Ｂと櫛形電極６０Ｄとが互いに対向している部分の長さが十分に大きく確保される。このため、結合容量電極５６Ｂと結合容量電極５６Ｄとの間で十分な静電容量が確保される。
【０１６８】
櫛形電極６０Ｅを構成する複数の電極５８ｅと、櫛形電極６０Ｆを構成する複数の電極５８ｆとは、交互に隣り合うように配置されている。電極５８ｅと電極５８ｆとが交互に隣り合うように配置されているため、櫛形電極６０Ｅと櫛形電極６０Ｆとが互いに対向している部分の長さが十分に大きく確保される。このため、結合容量電極５６Ｃと結合容量電極５６Ｄとの間で十分な静電容量が確保される。
【０１６９】
本実施形態では、結合容量電極５６Ａと結合容量電極５６Ｃとが同じ層に形成されているため、セラミックスシートの厚さがばらついたとしても、結合容量電極５６Ａと結合容量電極５６Ｃとの位置関係がばらつくことはない。また、本実施形態では、結合容量電極５６Ｃと結合容量電極５６Ｄとが同じ層に形成されているため、セラミックスシートの厚さがばらついたとしても、結合容量電極５６Ｃと結合容量電極５６Ｄとの位置関係がばらつくことはない。また、本実施形態では、結合容量電極５６Ｄと結合容量電極５６Ｂとが同じ層に形成されているため、セラミックスシートの厚さがばらついたとしても、結合容量電極５６Ｄと結合容量電極５６Ｂとの位置関係がばらつくことはない。また、本実施形態では、結合容量電極５６Ａ〜５６Ｄが互いに同じ層に形成されているため、結合容量電極５６Ａと結合容量電極５６Ｂと結合容量電極５６Ｃと結合容量電極５６Ｄとの間に位置ずれが生ずることがない。このため、本実施形態では、結合容量電極５６Ａと結合容量電極５６Ｃとの間の静電容量、結合容量電極５６Ｃと結合容量電極５６Ｄとの間の静電容量、及び、結合容量電極５６Ｄと結合容量電極５６Ｂとの間の静電容量が、大きくばらつくことはない。このため、本実施形態によれば、フィルタ１０の特性のばらつきを抑制することができる。
【０１７０】
［第８実施形態］
第８実施形態によるフィルタについて図５４〜図５６を用いて説明する。図５４は、本実施形態によるフィルタを示す斜視図である。図５５Ａ及び図５５Ｂは、本実施形態によるフィルタを示す平面図である。図５６は、本実施形態によるフィルタを示す断面図である。図１〜図５３に示す第１〜第７実施形態によるフィルタと同一の構成要素には、同一の符号を付して説明を省略又は簡潔にする。
【０１７１】
本実施形態では、誘電体基板１４の主面１４ａに入出力端子２２Ａが形成されている。また、本実施形態では、誘電体基板１４の主面１４ａに入出力端子２２Ｂが形成されている。入出力端子２２Ａは、誘電体基板１４のＸ方向における中心に対して側面１４ｃ側に位置している。入出力端子２２Ｂは、誘電体基板１４のＸ方向における中心に対して側面１４ｄ側に位置している。
【０１７２】
誘電体基板１４内には、入出力ビア電極部６２Ａが形成されている。入出力ビア電極部６２Ａは、複数の入出力ビア電極２４Ｂによって構成されている。入出力ビア電極部６２Ａの一端、即ち、下端は、入出力端子２２Ａに接続されている。誘電体基板１４内には、入出力ビア電極部６２Ｂが形成されている。入出力ビア電極部６２Ｂは、複数の入出力ビア電極２４Ｂによって構成されている。入出力ビア電極部６２Ｂの一端、即ち、下端は、入出力端子２２Ｂに接続されている。
【０１７３】
誘電体基板１４内には、中継パターン６４Ａが形成されている。入出力ビア電極部６２Ａの他端、即ち、上端は、中継パターン６４Ａの一端に接続されている。また、誘電体基板１４内には、中継パターン６４Ｂが形成されている。入出力ビア電極部６２Ｂの他端、即ち、上端は、中継パターン６４Ｂの一端に接続されている。
【０１７４】
中継パターン６４Ａの他端は、ビア電極部２０Ａに接続されている。中継パターン６４Ｂの他端は、ビア電極部２０Ｂに接続されている。
【０１７５】
本実施形態では、遮蔽導体１２Ｃａ、１２Ｃｂが、複数の遮蔽ビア電極２４Ａによって構成されている。遮蔽ビア電極２４Ａの一端は第１主面側遮蔽導体１２Ａに接続されている。遮蔽ビア電極２４Ａの他端は、第２主面側遮蔽導体１２Ｂに接続されている。複数の遮蔽ビア電極２４Ａは、接続パターン６６によって適宜接続されている。遮蔽導体１２Ｃａは、側面１４ｅに沿うように配列されている。遮蔽導体１２Ｃａの一端側は、側面１４ｃに沿うように配列されており、遮蔽導体１２Ｃａの他端側は、側面１４ｄに沿うように配列されている。遮蔽導体１２Ｃｂは、側面１４ｆに沿うように配列されている。遮蔽導体１２Ｃｂの一端側は、側面１４ｃに沿うように配列されており、遮蔽導体１２Ｃｂの他端側は、側面１４ｄに沿うように配列されている。
【０１７６】
誘電体基板１４内には、複数の結合調整ビア電極４２が形成されている。結合調整ビア電極４２は、ビア電極部２０Ａとビア電極部２０Ｂとの間の箇所に備えられている。複数の結合調整ビア電極４２は、Ｙ方向に沿うように配列されている。結合調整ビア電極４２の一端は、第１主面側遮蔽導体１２Ａに接続されている。結合調整ビア電極４２の他端は、第２主面側遮蔽導体１２Ｂに接続されている。
【０１７７】
誘電体基板１４内には、結合容量電極６８が形成されている。結合容量電極６８は、キャパシタ電極１８Ａ〜１８Ｄと同じ層に形成されている。結合容量電極６８の一端は、キャパシタ電極１８Ａ側に位置しており、結合容量電極６８の他端は、キャパシタ電極１８Ｂ側に位置している。
【０１７８】
誘電体基板１４内には、結合容量電極６６Ａ〜６６Ｅが形成されている。結合容量電極６６Ａ〜６６ＥのＺ方向における位置は、キャパシタ電極１８Ａ〜１８ＤのＺ方向における位置と、第１主面側遮蔽導体１２ＡのＺ方向における位置との間である。結合容量電極６６Ａの一端は、キャパシタ電極１８Ａに対向しており、結合容量電極６６Ａの他端は、キャパシタ電極１８Ｃに対向している。結合容量電極６６Ｂの一端は、キャパシタ電極１８Ｂに対向しており、結合容量電極６６Ｂの他端は、キャパシタ電極１８Ｄに対向している。結合容量電極６６Ｃの一端は、キャパシタ電極１８Ｃに対向しており、結合容量電極６６Ｃの他端は、キャパシタ電極１８Ｄに対向している。結合容量電極６６Ｄの一端は、キャパシタ電極１８Ａに対向しており、結合容量電極６６Ｄの他端は、結合容量電極６８の一端に対向している。結合容量電極６６Ｅの一端は、キャパシタ電極１８Ｂに対向しており、結合容量電極６６Ｅの他端は、結合容量電極６８の他端に対向している。
【０１７９】
このように、誘電体基板１４の主面１４ａに入出力端子２２Ａ、２２Ｂを形成するようにしてもよい。本実施形態によっても、良好な特性を有するフィルタ１０を提供することができる。
【０１８０】
上記において、本発明について好適な実施形態を挙げて説明したが、本発明は上記実施形態に限定されるものではなく、本発明の要旨を逸脱しない範囲において、種々の改変が可能である。
【０１８１】
例えば、上記実施形態では、仮想の環２６の形状が円形である場合を例に説明したが、仮想の環２６の形状は円形に限定されるものではない。例えば、仮想の環２６の形状を、楕円形としてもよいし、矩形としてもよい。
【０１８２】
また、第５実施形態では、ビア電極部２０Ａとビア電極部２０Ｂとの間の箇所において第２主面側遮蔽導体１２Ｂにスリット４４を形成する場合を例に説明したが、これに限定されるものではない。図５７は、変形実施形態によるフィルタを示す平面図である。図５７に示す例においては、ビア電極部２０Ａとビア電極部２０Ｃとの間の箇所において第２主面側遮蔽導体１２Ｂにスリット４４が形成されている。また、図５７に示す例においては、ビア電極部２０Ｂとビア電極部２０Ｄとの間の箇所において第２主面側遮蔽導体１２Ｂにスリット４４が更に形成されている。このような箇所にスリット４４を形成するようにしてもよい。図５７に示す例によれば、ビア電極部２０Ａとビア電極部２０Ｃとの間の箇所において第２主面側遮蔽導体１２Ｂにスリット４４が形成されているため、共振器１１Ａと共振器１１Ｃとの結合をスリット４４によって調整することができる。また、図５７に示す例によれば、ビア電極部２０Ｂとビア電極部２０Ｄとの間の箇所において第２主面側遮蔽導体１２Ｂにスリット４４が形成されているため、共振器１１Ｂと共振器１１Ｄとの結合をスリット４４によって調整することができる。
【０１８３】
また、上記実施形態において、複数のビア電極２４の各々の中心が仮想の環２６上に位置していてもよい。図５８は、寸法の設定の他の例を示す図である。図５８に示す例においては、複数のビア電極２４の各々の中心が仮想の環２６上に位置している。
【０１８４】
また、上記実施形態において、２つのビア電極２４によってビア電極部２０が構成されるようにしてもよい。図５９は、２つのビア電極によってビア電極部が構成されている場合の例を示す図である。図５９に示す例においては、２つのビア電極２４の各々の中心が仮想の環２６上に位置している。図５９に示す例においては、ビア電極部２０を構成する２つのビア電極２４間の距離（第１の距離）ＤＡが、上記実施形態における仮想の環２６の径ＤＡに対応する。この場合、例えば、遮蔽導体１２Ｃａとビア電極部２０との間の距離ＤＣ１の第１の距離ＤＡに対する比は、０．７５〜２に設定される。また、例えば、互いに隣接するビア電極部２０間の距離ＤＣ２の第１の距離ＤＡに対する比は、０．７５〜２に設定される。
【０１８５】
上記実施形態をまとめると以下のようになる。
【０１８６】
フィルタ（１０）は、第１主面（１４ａ）と、前記第１主面に対向する第２主面（１４ｂ）と、複数の側面（１４ｃ〜１４ｆ）とを有する誘電体基板（１４）と、前記誘電体基板の前記第１主面側に形成された第１主面側遮蔽導体（１２Ａ）と、前記誘電体基板の前記第２主面側に形成された第２主面側遮蔽導体（１２Ｂ）と、前記誘電体基板内に形成されているとともに複数のビア電極（２４）から構成されたビア電極部（２０Ａ〜２０Ｃ）と、前記第１主面側遮蔽導体に対向するとともに前記ビア電極部の一端に接続された第１キャパシタ電極（１８Ａ〜１８Ｄ）とをそれぞれ備える複数の共振器（１１Ａ〜１１Ｃ）とを備え、前記複数の共振器の各々には、前記ビア電極部が１つずつ備えられており、前記複数の共振器のうちの第１共振器（１１Ａ）に備えられた前記ビア電極部である第１ビア電極部（２０Ａ）と、前記複数の共振器のうちの第２共振器（１１Ｂ）に備えられた前記ビア電極部である第２ビア電極部（２０Ｂ）とが、第１方向（Ｘ）において互いにずらされており、前記複数の共振器のうちの第３共振器（１１Ｃ）に備えられた前記ビア電極部である第３ビア電極部（２０Ｃ）が、前記第１ビア電極部又は前記第２ビア電極部に対して、前記第１方向に交差する第２方向（Ｙ）においてずらされている。このような構成によれば、互いに隣接する共振器の第１方向における距離を大きくすることなく、互いに隣接する共振器間の結合度を小さくすることができる。このため、フィルタのサイズを小さく保ちつつ、特性の良好なフィルタを得ることができる。
【０１８７】
前記ビア電極部の長手方向に沿うように形成された遮蔽導体（１２Ｃａ、１２Ｃｂ）を更に備え、前記ビア電極部を構成する前記複数のビア電極は、上面から見たとき、仮想の環（２６）に沿って配列されており、前記遮蔽導体と前記ビア電極部との間の距離（ＤＣ１）の前記仮想の環の径（ＤＡ）に対する比は、０．７５〜２であるようにしてもよい。このような構成によれば、Ｑ値の良好なフィルタを得ることができる。
【０１８８】
前記ビア電極部の長手方向に沿うように形成された遮蔽導体を更に備え、前記ビア電極部は、２つの前記ビア電極によって構成されており、前記２つのビア電極間の距離は、第１の距離であり、前記遮蔽導体と前記ビア電極部との間の距離の前記第１の距離に対する比は、０．７５〜２であるようにしてもよい。
【０１８９】
前記遮蔽導体は、板状に形成されているようにしてもよい。
【０１９０】
前記遮蔽導体は、一端が前記第１主面側遮蔽導体に接続され、他端が前記第２主面側遮蔽導体に接続された複数の遮蔽ビア電極（２４Ａ）によって構成されているようにしてもよい。
【０１９１】
前記ビア電極部を構成する前記複数のビア電極は、上面から見たとき、仮想の環に沿って配列されており、互いに隣接する前記ビア電極部間の距離（ＤＣ２）の前記仮想の環の径に対する比は、０．７５〜２であるようにしてもよい。このような構成によれば、Ｑ値の良好なフィルタを得ることができる。
【０１９２】
前記ビア電極部は、２つの前記ビア電極によって構成されており、前記２つのビア電極間の距離は、第１の距離であり、互いに隣接する前記ビア電極部間の距離の前記第１の距離に対する比は、０．７５〜２であるようにしてもよい。
【０１９３】
前記第３ビア電極部が、前記第１ビア電極部と前記第２ビア電極部のいずれに対しても、前記第２方向においてずらされているようにしてもよい。
【０１９４】
前記複数の共振器のうちの第４共振器（１１Ｄ）に備えられた前記ビア電極部である第４ビア電極部（２０Ｄ）が、前記第１ビア電極部又は前記第２ビア電極部に対して、前記第２方向においてずらされているようにしてもよい。
【０１９５】
前記第１ビア電極部の中心（Ｐ１）の前記第１方向における位置と、前記第３ビア電極部の中心（Ｐ３）の前記第１方向における位置とは、同等であり、前記第２ビア電極部の中心（Ｐ２）の前記第１方向における位置と、前記第４ビア電極部の中心（Ｐ４）の前記第１方向における位置とは、同等であり、前記第１ビア電極部の前記中心の前記第２方向における位置と、前記第２ビア電極部の前記中心の前記第２方向における位置とは、同等であり、前記第３ビア電極部の前記中心の前記第２方向における位置と、前記第４ビア電極部の前記中心の前記第２方向における位置とは、同等であるようにしてもよい。
【０１９６】
前記第３ビア電極部の中心の前記第１方向における位置は、前記第１ビア電極部の中心の前記第１方向における位置と前記第４ビア電極部の中心の前記第１方向における位置との間であり、前記第４ビア電極部の前記中心の前記第１方向における位置は、前記第３ビア電極部の前記中心の前記第１方向における位置と前記第２ビア電極部の中心の前記第１方向における位置との間であり、前記第１ビア電極部の前記中心の前記第２方向における位置と、前記第２ビア電極部の前記中心の前記第２方向における位置とは、同等であり、前記第３ビア電極部の前記中心の前記第２方向における位置と、前記第４ビア電極部の前記中心の前記第２方向における位置とは、同等であるようにしてもよい。
【０１９７】
前記第３ビア電極部の中心の前記第１方向における位置と、前記第４ビア電極部の中心の前記第１方向における位置とは、同等であり、前記第１ビア電極部の中心の前記第２方向における位置は、前記第３ビア電極部の前記中心の前記第２方向における位置と前記第４ビア電極部の前記中心の前記第２方向における位置との間であり、前記第２ビア電極部の中心の前記第２方向における位置は、前記第３ビア電極部の前記中心の前記第２方向における位置と前記第４ビア電極部の前記中心の前記第２方向における位置との間であるようにしてもよい。
【０１９８】
前記第１ビア電極部と前記第２ビア電極部とが、前記第２方向において互いにずらされており、前記第１ビア電極部の中心の前記第２方向における位置と、前記第３ビア電極部の中心の前記第２方向における位置とは、同等であり、前記第２ビア電極部の中心の前記第２方向における位置と、前記第４ビア電極部の中心の前記第２方向における位置とは、同等であるようにしてもよい。
【０１９９】
前記複数の共振器のうちの第５共振器（１１Ｅ）に備えられた前記ビア電極部である第５ビア電極部（２０Ｅ）の中心（Ｐ５）の前記第１方向における位置は、前記第３ビア電極部の中心の前記第１方向における位置と前記第４ビア電極部の中心の前記第１方向における位置との間であり、前記第３ビア電極部の前記中心の前記第２方向における位置と、前記第４ビア電極部の前記中心の前記第２方向における位置と、前記第５ビア電極部の前記中心の前記第２方向における位置とは、同等であるようにしてもよい。
【０２００】
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、前記第５ビア電極部の前記中心の前記第２方向における位置は、前記第１ビア電極部の中心の前記第２方向における位置と前記第３ビア電極部の前記中心の前記第２方向における位置との間であり、前記第５ビア電極部の前記中心の前記第２方向における位置は、前記第２ビア電極部の中心の前記第２方向における位置と前記第４ビア電極部の前記第２方向における位置との間である。
【０２０１】
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、前記第３ビア電極部の前記中心の前記第２方向における位置は、前記第１ビア電極部の中心の前記第２方向における位置と前記第５ビア電極部の前記中心の前記第２方向における位置との間であり、前記第４ビア電極部の前記中心の前記第２方向における位置は、前記第２ビア電極部の中心の前記第２方向における位置と前記第５ビア電極部の前記第２方向における位置との間であるようにしてもよい。
【０２０２】
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、前記第３ビア電極部の前記中心の前記第２方向における位置と、前記第４ビア電極部の前記中心の前記第２方向における位置と、前記第５ビア電極部の前記中心の前記第２方向における位置とは、同等であり、前記第３ビア電極部の前記中心の前記第１方向における位置は、前記第１ビア電極部の中心の前記第１方向における位置と前記第５ビア電極部の前記中心の前記第１方向における位置との間であり、前記第４ビア電極部の前記中心の前記第１方向における位置は、前記第２ビア電極部の中心の前記第１方向における位置と前記第５ビア電極部の前記中心の前記第１方向における位置との間であるようにしてもよい。
【０２０３】
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、前記第５ビア電極部の前記中心の前記第２方向における位置は、前記第１ビア電極部の中心の前記第２方向における位置と前記第３ビア電極部の前記中心の前記第２方向における位置との間であり、前記第５ビア電極部の前記中心の前記第２方向における位置は、前記第２ビア電極部の中心の前記第２方向における位置と前記第４ビア電極部の前記中心の前記第２方向における位置との間であるようにしてもよい。
【０２０４】
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、前記第３ビア電極部の前記中心の前記第１方向における位置は、前記第１ビア電極部の中心の前記第１方向における位置と前記第５ビア電極部の前記中心の前記第１方向における位置との間であり、前記第４ビア電極部の前記中心の前記第１方向における位置は、前記第２ビア電極部の中心の前記第１方向における位置と前記第５ビア電極部の前記中心の前記第１方向における位置との間であり、前記第３ビア電極部の前記中心の前記第２方向における位置は、前記第１ビア電極部の前記中心の前記第２方向における位置と前記第５ビア電極部の前記中心の前記第２方向における位置との間であり、前記第４ビア電極部の前記中心の前記第２方向における位置は、前記第２ビア電極部の前記中心の前記第２方向における位置と前記第５ビア電極部の前記中心の前記第２方向における位置との間であるようにしてもよい。
【０２０５】
前記複数の共振器のうちの第５共振器に備えられた前記ビア電極部である第５ビア電極部の中心の前記第１方向における位置は、前記第３ビア電極部の中心の前記第１方向における位置と前記第４ビア電極部の中心の前記第１方向における位置との間であり、前記第１ビア電極部の中心の前記第１方向における位置は、前記第３ビア電極部の前記中心の前記第１方向における位置と前記第５ビア電極部の前記中心の前記第１方向における位置との間であり、前記第２ビア電極部の中心の前記第１方向における位置は、前記第４ビア電極部の前記中心の前記第１方向における位置と前記第５ビア電極部の前記中心の前記第１方向における位置との間であり、前記第３ビア電極部の前記中心の前記第２方向における位置は、前記第１ビア電極部の前記中心の前記第２方向における位置と前記第５ビア電極部の前記中心の前記第２方向における位置との間であり、前記第４ビア電極部の前記中心の前記第２方向における位置は、前記第２ビア電極部の前記中心の前記第２方向における位置と前記第５ビア電極部の前記中心の前記第２方向における位置との間であるようにしてもよい。
【０２０６】
前記複数の共振器のうちの第５共振器に備えられた前記ビア電極部である第５ビア電極部の中心の前記第１方向における位置と、前記第３ビア電極部の中心の前記第１方向における位置と、前記第１ビア電極部の中心の前記第１方向における位置とは、同等であり、前記複数の共振器のうちの第６共振器（１１Ｆ）に備えられた前記ビア電極部である第６ビア電極部（２０Ｆ）の中心（Ｐ６）の前記第１方向における位置と、前記第４ビア電極部の中心の前記第１方向における位置と、前記第２ビア電極部の中心の前記第１方向における位置とは、同等であり、前記第１ビア電極部の前記中心の前記第２方向における位置と、前記第２ビア電極部の前記中心の前記第２方向における位置とは、同等であり、前記第３ビア電極部の前記中心の前記第２方向における位置と、前記第４ビア電極部の前記中心の前記第２方向における位置とは、同等であり、前記第５ビア電極部の前記中心の前記第２方向における位置と、前記第６ビア電極部の前記中心の前記第２方向における位置とは、同等であるようにしてもよい。
【０２０７】
前記複数の共振器のうちの第５共振器に備えられた前記ビア電極部である第５ビア電極部の中心の前記第１方向における位置は、前記第１ビア電極部の中心の前記第１方向における位置と、前記第２ビア電極部の中心の前記第１方向における位置との間であり、前記複数の共振器のうちの第６共振器に備えられた前記ビア電極部である第６ビア電極部の中心の前記第１方向における位置は、前記第５ビア電極部の前記中心の前記第１方向における位置と、前記第２ビア電極部の前記中心の前記第１方向における位置との間であり、前記第３ビア電極部の中心の前記第１方向における位置と、前記第１ビア電極部の前記中心の前記第１方向における位置とは、同等であり、前記第４ビア電極部の中心の前記第１方向における位置と、前記第２ビア電極部の前記中心の前記第１方向における位置とは、同等であり、前記第１ビア電極部の前記中心の前記第２方向における位置と、前記第２ビア電極部の前記中心の前記第２方向における位置とは、同等であり、前記第３ビア電極部の前記中心の前記第２方向における位置と、前記第４ビア電極部の前記中心の前記第２方向における位置とは、同等であり、前記第５ビア電極部の前記中心の前記第２方向における位置と、前記第６ビア電極部の前記中心の前記第２方向における位置とは、同等であるようにしてもよい。
【０２０８】
前記第１ビア電極部の中心の前記第１方向における位置は、前記複数の共振器のうちの第５共振器に備えられた前記ビア電極部である第５ビア電極部の中心の前記第１方向における位置と、前記第２ビア電極部の中心の前記第１方向における位置との間であり、前記第２ビア電極部の前記中心の前記第１方向における位置は、前記複数の共振器のうちの第６共振器に備えられた前記ビア電極部である第６ビア電極部の中心の前記第１方向における位置と、前記第１ビア電極部の前記中心の前記第１方向における位置との間であり、前記第３ビア電極部の中心の前記第１方向における位置と、前記第１ビア電極部の前記中心の前記第１方向における位置とは、同等であり、前記第４ビア電極部の中心の前記第１方向における位置と、前記第２ビア電極部の前記中心の前記第１方向における位置とは、同等であり、前記第１ビア電極部の前記中心の前記第２方向における位置と、前記第２ビア電極部の前記中心の前記第２方向における位置とは、同等であり、前記第３ビア電極部の前記中心の前記第２方向における位置と、前記第４ビア電極部の前記中心の前記第２方向における位置とは、同等であり、前記第５ビア電極部の前記中心の前記第２方向における位置と、前記第６ビア電極部の前記中心の前記第２方向における位置とは、同等であるようにしてもよい。
【０２０９】
前記ビア電極部の他端は、前記第２主面側遮蔽導体に接続されているようにしてもよい。
【０２１０】
前記複数の共振器は、前記第２主面側遮蔽導体に対向するとともに前記ビア電極部の他端に接続された第２キャパシタ電極（１９Ａ〜１９Ｄ）をそれぞれ備えるようにしてもよい。このような構成によれば、共振器が両端開放型のλ／２共振器として動作し得るフィルタを得ることができる。
【０２１１】
前記誘電体基板は、第１誘電体層（１５Ａ）と、前記第１誘電体層より比誘電率が高い第２誘電体層（１５Ｂ）とを備え、前記第１主面側遮蔽導体と前記第１キャパシタ電極との間に前記第１誘電体層の一部が挟まれており、前記ビア電極部は、少なくとも前記第２誘電体層内に形成されているようにしてもよい。
【０２１２】
前記第１ビア電極部と前記第２ビア電極部との間の箇所に前記第２方向に沿うように配列されているとともに、一端が前記第１主面側遮蔽導体に接続され、他端が前記第２主面側遮蔽導体に接続された複数の結合調整ビア電極（４２）を更に備えるようにしてもよい。このような構成によれば、第１共振器と第２共振器との間の結合を結合調整ビア電極によって調整し得るため、より特性の良好なフィルタを得ることができる。
【０２１３】
前記第１ビア電極部と前記第２ビア電極部との間の箇所、及び、前記第３ビア電極部と前記第４ビア電極部との間の箇所に前記第２方向に沿うように配列されているとともに、一端が前記第１主面側遮蔽導体に接続され、他端が前記第２主面側遮蔽導体に接続された複数の結合調整ビア電極を更に備えるようにしてもよい。このような構成によれば、第１共振器と第２共振器との間の結合と、第３共振器と第４共振器との結合とを、結合調整ビア電極によって調整し得るため、より特性の良好なフィルタを得ることができる。
【０２１４】
前記第１ビア電極部と前記第２ビア電極部との間の前記箇所に位置する前記結合調整ビア電極の数と、前記第３ビア電極部と前記第４ビア電極部との間の前記箇所に位置する前記結合調整ビア電極の数とが、互いに異なるようにしてもよい。このような構成によれば、第１共振器と第２共振器との間の結合をより良好に調整し得るとともに、第３共振器と第４共振器との間の結合をより良好に調整し得るため、より特性の良好なフィルタを得ることができる。
【０２１５】
前記第２主面側遮蔽導体には、前記第１ビア電極部と前記第２ビア電極部との間の箇所にスリット（４４）が形成されているようにしてもよい。このような構成によれば、第１共振器と第２共振器との結合をスリットによって調整することができるため、より特性の良好なフィルタを得ることができる。
【０２１６】
前記誘電体基板の前記複数の側面のうちの第１側面（１４ｃ）の法線方向と、前記誘電体基板の前記複数の側面のうちの第２側面（１４ｄ）の法線方向とは、前記第１方向に沿っており、前記誘電体基板の前記複数の側面のうちの第３側面（１４ｅ）の法線方向と、前記誘電体基板の前記複数の側面のうちの第４側面（１４ｆ）の法線方向とは、前記第２方向に沿っており、前記第１ビア電極部は、前記誘電体基板の前記第１方向における中心に対して前記第１側面側に位置しており、前記第２ビア電極部は、前記誘電体基板の前記第１方向における前記中心に対して前記第２側面側に位置しており、前記第１ビア電極部及び前記第２ビア電極部は、前記誘電体基板の前記第２方向における中心に対して前記第３側面側に位置しており、前記第１側面に形成され、前記第２主面側遮蔽導体に結合された第１入出力端子と、前記第２側面に形成され、前記第２主面側遮蔽導体に結合された第２入出力端子とを更に備え、前記第１入出力端子及び前記第２入出力端子は、前記誘電体基板の前記第２方向における前記中心に対して前記第３側面側に位置しているようにしてもよい。このような構成によれば、第１入出力端子の中心の第２方向における位置を適宜設定することにより、第１入出力端子と第１共振器との結合、及び、第２入出力端子と第２共振器との結合を適宜調整することができ、ひいては外部Ｑを調整することができる。従って、このような構成によれば、特性の良好なフィルタを提供することができる。
【０２１７】
前記誘電体基板の前記複数の側面のうちの第１側面の法線方向と、前記誘電体基板の前記複数の側面のうちの第２側面の法線方向とは、前記第１方向に沿っており、前記第１ビア電極部は、前記誘電体基板の前記第１方向における中心に対して前記第１側面側に位置しており、前記第２ビア電極部は、前記誘電体基板の前記第１方向における前記中心に対して前記第２側面側に位置しており、前記第１側面に形成され、前記第２主面側遮蔽導体に接続された第１入出力端子と、前記第２側面に形成され、前記第２主面側遮蔽導体に接続された第２入出力端子とを更に備え、前記第２主面側遮蔽導体のうちの前記第１入出力端子側の部分には、前記第１方向に沿うように第１スリット（４６Ａ）が形成されており、前記第２主面側遮蔽導体のうちの前記第２入出力端子側の部分には、前記第１方向に沿うように第２スリット（４６Ｂ）が形成されており、前記第１入出力端子の中心の前記第２方向における位置は、前記第１ビア電極部の中心の前記第２方向における位置と、前記第１スリットの中心の前記第２方向における位置との間であり、前記第２入出力端子の中心の前記第２方向における位置は、前記第２ビア電極部の中心の前記第２方向における位置と、前記第２スリットの中心の前記第２方向における位置との間であり、前記第１スリットの前記中心の前記第２方向における位置は、前記第１入出力端子の前記中心の前記第２方向における位置と、前記第３ビア電極部の中心の前記第２方向における位置との間であり、前記第２スリットの前記中心の前記第２方向における位置は、前記第２入出力端子の前記中心の前記第２方向における位置と、前記第３ビア電極部の前記中心の前記第２方向における位置との間であるようにしてもよい。このような構成によれば、第１スリット及び第２スリットを適宜形成することにより、第１入出力端子と第１共振器との結合、及び、第２入出力端子と第２共振器との結合を適宜調整することができ、ひいては外部Ｑを調整することができる。従って、このような構成によれば、特性の良好なフィルタを提供することができる。
【０２１８】
前記誘電体基板の前記複数の側面のうちの第１側面の法線方向と、前記誘電体基板の前記複数の側面のうちの第２側面の法線方向とは、前記第１方向に沿っており、前記第１ビア電極部は、前記誘電体基板の前記第１方向における中心に対して前記第１側面側に位置しており、前記第２ビア電極部は、前記誘電体基板の前記第１方向における前記中心に対して前記第２側面側に位置しており、前記第１側面に形成された第１入出力端子と、前記第２側面に形成された第２入出力端子と、前記第１入出力端子に接続され、前記第２主面側遮蔽導体のうちの前記第１入出力端子側の部分に対向する第１キャパシタ電極パターン（４８Ａ）と、前記第２入出力端子に接続され、前記第２主面側遮蔽導体のうちの前記第２入出力端子側の部分に対向する第２キャパシタ電極パターン（４８Ｂ）とを更に備えるようにしてもよい。このような構成によれば、第１入出力端子が第１キャパシタ電極パターンを介して第２主面側遮蔽導体に容量結合しており、第２入出力端子が第２キャパシタ電極パターンを介して第２主面側遮蔽導体に容量結合している。このような構成によれば、これらの結合容量を適宜設定することにより外部Ｑを調整することができるため、特性の良好なフィルタを提供することができる。
【０２１９】
前記誘電体基板の前記複数の側面のうちの第１側面の法線方向と、前記誘電体基板の前記複数の側面のうちの第２側面の法線方向とは、前記第１方向に沿っており、前記第１ビア電極部は、前記誘電体基板の前記第１方向における中心に対して前記第１側面側に位置しており、前記第２ビア電極部は、前記誘電体基板の前記第１方向における前記中心に対して前記第２側面側に位置しており、前記第１側面に形成された第１入出力端子と、前記第２側面に形成された第２入出力端子と、前記第１入出力端子に接続された第１キャパシタ電極パターンと、前記第２入出力端子に接続された第２キャパシタ電極パターンと、前記第１ビア電極部に接続され、前記第１キャパシタ電極パターンに容量結合する第３キャパシタ電極パターン（５０Ａ）と、前記第２ビア電極部に接続され、前記第２キャパシタ電極パターンに容量結合する第４キャパシタ電極パターン（５０Ｂ）とを更に備えるようにしてもよい。このような構成によれば、第１入出力端子と第１ビア電極部とが第１キャパシタ電極パターン及び第３キャパシタ電極を介して容量結合している。また、このような構成によれば、第２入出力端子と第２ビア電極部とが第２キャパシタ電極パターン及び第４キャパシタ電極パターンを介して容量結合している。このような構成によれば、これらの結合容量を適宜設定することにより外部Ｑを調整することができるため、特性の良好なフィルタを提供することができる。
【０２２０】
前記第１キャパシタ電極パターンの中心の前記第２方向における位置は、前記第１ビア電極部の中心の前記第２方向における位置と、前記第３ビア電極部の中心の前記第２方向における位置との間であり、前記第２キャパシタ電極パターンの中心の前記第２方向における位置は、前記第２ビア電極部の中心の前記第２方向における位置と、前記第３ビア電極部の前記中心の前記第２方向における位置との間であるようにしてもよい。
【０２２１】
前記誘電体基板の前記複数の側面のうちの第１側面の法線方向と、前記誘電体基板の前記複数の側面のうちの第２側面の法線方向とは、前記第１方向に沿っており、前記第１ビア電極部は、前記誘電体基板の前記第１方向における中心に対して前記第１側面側に位置しており、前記第２ビア電極部は、前記誘電体基板の前記第１方向における前記中心に対して前記第２側面側に位置しており、前記第１側面に形成された第１入出力端子と、前記第２側面に形成された第２入出力端子と、前記第１入出力端子と前記第１ビア電極部とを接続する第１入出力パターン（５２Ａ）と、前記第２入出力端子と前記第２ビア電極部とを接続する第２入出力パターン（５２Ｂ）とを更に備えるようにしてもよい。このような構成によれば、第１入出力端子が第１入出力パターンを介して第１ビア電極部に導通しており、第２入出力端子が第２入出力パターンを介して第２ビア電極部に導通している。このような構成によれば、Ｚ方向、即ち、ビア電極部の長手方向における第１入出力パターン及び第２入出力パターンの位置を適宜設定することにより、外部Ｑを適宜調整することができる。
【０２２２】
前記誘電体基板の前記複数の側面のうちの第１側面の法線方向と、前記誘電体基板の前記複数の側面のうちの第２側面の法線方向とは、前記第１方向に沿っており、前記第１ビア電極部は、前記誘電体基板の前記第１方向における中心に対して前記第１側面側に位置しており、前記第２ビア電極部は、前記誘電体基板の前記第１方向における前記中心に対して前記第２側面側に位置しており、前記第１側面に形成された第１入出力端子と、前記第２側面に形成された第２入出力端子と、前記第１共振器に備えられた前記第１キャパシタ電極と前記第１入出力端子とを接続する第１接続線路（３２ａ）と、前記第２共振器に備えられた前記第１キャパシタ電極と前記第２入出力端子とを接続する第２接続線路（３２ｂ）とを更に備えるようにしてもよい。このような構成によれば、良好な外部Ｑを有するフィルタを得ることができる。
【０２２３】
互いに隣接する前記複数の共振器のうちの一方（１１Ａ）に備えられ、複数の第１電極（５８ａ）を含む第１櫛形電極（６０Ａ）を有する第１結合容量電極（５６Ａ）と、互いに隣接する前記複数の共振器のうちの他方（１１Ｃ）に備えられ、複数の第２電極（５８ｃ）を含む第２櫛形電極（６０Ｃ）を有し、前記第１結合容量電極と同一の層に形成された第２結合容量電極（５６Ｃ）とを更に備え、前記第１電極と前記第２電極とは、交互に隣接するように配置されているようにしてもよい。このような構成によれば、第１結合容量電極と第２結合容量電極とが同じ層に形成されているため、誘電体基板を構成するセラミックスシートの厚さがばらついたとしても、第１結合容量電極と第２結合容量電極との位置関係がばらつくことはない。また、このような構成によれば、第１結合容量電極と第２結合容量電極とが互いに同じ層に形成されているため、第１結合容量電極と第２結合容量電極との間に位置ずれが生ずることがない。このため、このような構成によれば、第１結合容量電極と第２結合容量電極との間の静電容量が大きくばらつくことを防止することができ、ひいては、フィルタの特性のばらつきを抑制することができる。
【０２２４】
前記誘電体基板の前記第１主面に形成された第１入出力端子と、前記誘電体基板の前記第１主面に形成された第２入出力端子と、前記誘電体基板内に形成され、前記第１入出力端子に接続された第１入出力ビア電極部（６２Ａ）と、前記誘電体基板内に形成され、前記第２入出力端子に接続された第２入出力ビア電極部（６２Ｂ）と、前記第１入出力ビア電極部と前記第１ビア電極部とを接続する第１中継パターン（６４Ａ）と、前記第２入出力ビア電極部と前記第２ビア電極部とを接続する第２中継パターン（６４Ｂ）とを更に備えるようにしてもよい。
【符号の説明】
【０２２５】
１０…フィルタ                      １１Ａ〜１１Ｆ…共振器
１２Ａ…第１主面側遮蔽導体          １２Ｂ…第２主面側遮蔽導体
１２Ｃａ〜１２Ｃｄ…遮蔽導体        １４…誘電体基板
１４ａ、１４ｂ…主面                １４ｃ〜１４ｆ…側面
１５Ａ、１５Ｂ…誘電体層            １６、１６Ａ〜１６Ｆ…構造体
１８Ａ〜１８Ｆ、１９Ａ〜１９Ｄ…キャパシタ電極
２０Ａ〜２０Ｆ…ビア電極部          ２２Ａ、２２Ｂ…入出力端子
２４…ビア電極                      ２４Ａ…遮蔽ビア電極
２４Ｂ…入出力ビア電極              ２６…仮想の環
２８Ａ、２８Ｄ…内部導体            ２８Ｂ、２８Ｃ…外部導体
３０Ａ〜３０Ｃ…同軸共振器          ３２ａ、３２ｂ…接続線路
４２…結合調整ビア電極              ４４、４６Ａ、４６Ｂ…スリット
４８Ａ、４８Ｂ、５０Ａ、５０Ｂ…キャパシタ電極パターン
５２Ａ、５２Ｂ…入出力パターン      ５４Ａ、５４Ｂ、５８ａ〜５８ｆ…電極
５６Ａ〜５６Ｄ、６６Ａ〜６６Ｅ、６８…結合容量電極
６０Ａ〜６０Ｆ…櫛形電極            ６２Ａ、６２Ｂ…入出力ビア電極部
６４Ａ、６４Ｂ…中継パターン        ６６…接続パターン
【図１】
2020198482.tif 000003
【図２】
2020198482.tif 000004
【図３】
2020198482.tif 000005
【図４】
2020198482.tif 000006
【図５】
2020198482.tif 000007
【図６】
2020198482.tif 000008
【図７】
2020198482.tif 000009
【図８】
2020198482.tif 000010
【図９】
2020198482.tif 000011
【図１０】
2020198482.tif 000012
【図１１】
2020198482.tif 000013
【図１２】
2020198482.tif 000014
【図１３】
2020198482.tif 000015
【図１４】
2020198482.tif 000016
【図１５】
2020198482.tif 000017
【図１６】
2020198482.tif 000018
【図１７】
2020198482.tif 000019
【図１８】
2020198482.tif 000020
【図１９】
2020198482.tif 000021
【図２０】
2020198482.tif 000022
【図２１】
2020198482.tif 000023
【図２２】
2020198482.tif 000024
【図２３】
2020198482.tif 000025
【図２４】
2020198482.tif 000026
【図２５】
2020198482.tif 000027
【図２６】
2020198482.tif 000028
【図２７】
2020198482.tif 000029
【図２８】
2020198482.tif 000030
【図２９】
2020198482.tif 000031
【図３０】
2020198482.tif 000032
【図３１】
2020198482.tif 000033
【図３２】
2020198482.tif 000034
【図３３】
2020198482.tif 000035
【図３４】
2020198482.tif 000036
【図３５】
2020198482.tif 000037
【図３６】
2020198482.tif 000038
【図３７】
2020198482.tif 000039
【図３８】
2020198482.tif 000040
【図３９】
2020198482.tif 000041
【図４０】
2020198482.tif 000042
【図４１】
2020198482.tif 000043
【図４２】
2020198482.tif 000044
【図４３】
2020198482.tif 000045
【図４４】
2020198482.tif 000046
【図４５】
2020198482.tif 000047
【図４６】
2020198482.tif 000048
【図４７】
2020198482.tif 000049
【図４８】
2020198482.tif 000050
【図４９】
2020198482.tif 000051
【図５０】
2020198482.tif 000052
【図５１】
2020198482.tif 000053
【図５２】
2020198482.tif 000054
【図５３】
2020198482.tif 000055
【図５４】
2020198482.tif 000056
【図５５】
2020198482.tif 000057
【図５６】
2020198482.tif 000058
【図５７】
2020198482.tif 000059
【図５８】
2020198482.tif 000060
【図５９】
2020198482.tif 000061